(57)【要約】【課題】  本発明の目的は、輝度の低下やコントラストの低下、発光に要する電力の増加を抑制ししつつ、動画ぼやけを低減することである。【解決手段】  本発明は、１フレーム期間を２フィールド期間に分け、明フィールドで高階調の表示データDlightを表示し、暗フィールドで低階調の表示データDdarkを表示することにより、入力表示データDinの階調を擬似的に表示し、そして、入力表示データDinの階調が低階調側である場合に、暗フィールドの表示データDdarkを最小輝度Tminに対応する最小階調とし、入力表示データDinの階調が高階調側である場合に、明フィールドの表示データDlightを最大輝度Tmaxに対応する最大階調とする。【選択図】図１１
2006343706.tif 000002
【特許請求の範囲】
【請求項１】
1フレーム期間階調の表示を保持するホールド型の表示装置において、
各画素は、1フレーム期間内に複数の階調を表示することにより、外部システムから要求された１つの階調を表示し、
前記外部システムから要求された階調が最大階調と最小階調の間の中間階調である場合に、前記1フレーム期間内の複数の階調のうちの少なくとも１つの階調は、前記外部システムから要求された階調よりも低いことを特徴とする表示装置。
【請求項２】
請求項１の表示装置において、
前記外部システムから要求された階調が前記中間階調である場合に、前記1フレーム期間内の複数の階調のうちの少なくとも１つの階調は、前記最小階調であることを特徴とする表示装置。
【請求項３】
請求項２の表示装置において、
前記外部システムから要求された階調が前記中間階調のうちの低階調側に含まれる場合に、前記1フレーム期間内の複数の階調のうちの少なくとも１つの階調は、前記最小階調であり、
前記外部システムから要求された階調が前記中間階調のうちの高階調側に含まれる場合に、前記1フレーム期間内の複数の階調のうちの少なくとも他の１つの階調は、前記最大階調であることを特徴とする表示装置。
【請求項４】
外部システムから入力される表示データに応じた階調又は輝度を表示する表示装置において、
マトリックス状に配列された複数の画素を有する表示パネルと、
前記外部システムから入力される表示データを保持可能なメモリと、
中間階調の前記表示データを異なる値に変換する第１及び第２の変換回路と、
前記外部システムからの入力信号に基づき前記表示パネルを駆動するための制御信号を生成する信号生成回路と、
前記表示データに対応する電圧を前記画素へ出力する第１のドライバと、
前記電圧を供給すべき画素を走査する第２のドライバとを具備し、
前記メモリは、１フレーム期間に１回前記表示データを書き込まれ、1フレーム期間に2回前記表示データを読み出され、
前記第１の変換回路は、前記メモリから第1回目に読み出された第１の表示データを変換し、
前記第２の変換回路は、前記メモリから第2回目に読み出された第２の表示データを変換し、
前記外部システムから入力される表示データが中間階調である場合に、変換後の前記第２の表示データによる輝度は、変換後の前記第１の表示データによる輝度よりも低く、
前記第２のドライバは、前記制御信号に従って１フレーム期間内に2回前記画素を走査し、
前記第１のドライバは、前記第２のドライバによる第１回目の走査に応じて、変換後の第１の表示データに対応する第１の電圧を前記画素へ出力し、前記第２のドライバによる第２回目の走査に応じて、変換後の第２の表示データに対応する第２の電圧を前記画素へ出力することを特徴とする表示装置。
【請求項５】
請求項４に記載の表示装置において、
前記各画素での電圧の極性は、前記第２のドライバによる２回の走査毎に反転することを特徴とする表示装置。
【請求項６】
請求項４に記載の表示装置において、
前記各画素は、数１００秒以内の期間において、前記第１の電圧により正極性の電位が印加される回数と、前記第１の電圧により負極性の電位が印加される回数と、前記第２の電圧により正極性の電位が印加される回数と、前記第２の電圧により負極性の電位が印加される回数とが等しいことを特徴とする表示装置。
【請求項７】
請求項４に記載の表示装置において、
前記外部システムからの要求に応じて、前記第１の変換回路の変換設定値及び前記第２の変換回路の変換設定値とを変更することを特徴とする表示装置。
【請求項８】
請求項４に記載の表示装置において、
前記第１及び第２の変換回路は、１フレーム期間前の表示データに応じて現在のフレーム期間の表示データを変換し、
前記現在のフレーム期間の表示データと前記１フレーム期間前の表示データとが等しい場合にも、前記現在のフレーム期間の変換後の前記第１の表示データによる輝度は、前記現在のフレーム期間の変換後の前記第２の表示データによる輝度に比較して等しい若しくは大きく、
前記第１のドライバは、前記現在のフレーム期間の表示データが等しい場合の表度が前記1フレーム期間前の表示データに関わらず略等しくなるよう変換された第１及び第２の表示データに基づき前記第１の電圧及び前記第２の電圧を前記画素へ出力することを特徴とする表示装置。
【請求項９】
請求項４に記載の表示装置において、
前記第１及び第２の変換回路は、１フレーム期間前の表示データに応じて現在のフレーム期間の表示データを変換し、
前記現在のフレーム期間の表示データによる輝度が前記１フレーム期間前の表示データによる輝度より大きい場合は、前記第１の変換回路は、変換後の前記第１の表示データを大きくし、その結果得られる輝度が低い場合は、前記第２の変換回路は、変換後の前記第２の表示データを大きくし、
前記現在のフレーム期間の表示データによる輝度が前記１フレーム期間前の表示データによる輝度より小さい場合は、前記第２の変換回路は、変換後の前記第２の表示データを小さくし、その結果得られる輝度が高い場合は、前記第１の変換回路は、変換後の前記第１の表示データも小さくすることを特徴とする表示装置。
【請求項１０】
請求項４に記載の表示装置において、
前記第１及び第２の変換回路の何れか一方は、１フレーム期間前の表示データに応じて現在のフレーム期間の表示データを変換することを特徴とする表示装置。
【請求項１１】
請求項４に記載の表示装置において、
前記第２のドライバの前記第２回目の走査による画素の選択期間は、前記第２のドライバの前記第１回目の走査による画素の選択期間よりも長いことを特徴とする表示装置。
【請求項１２】
1フレーム期間階調の表示を保持するホールド型の表示装置において、
各画素は、1フレーム期間内に２つの階調を表示することにより、外部システムから要求された１つの階調を表示し、
前記外部システムから要求された階調が最大階調と最小階調との間の中間階調のうちの低階調側に含まれる場合に、前記1フレーム期間内の２つの階調の一方は前記最小階調であり、前記1フレーム期間内の２つの階調の他方は前記外部システムから要求された階調に応じて変化し、
前記外部システムから要求された階調が前記中間階調のうちの高階調側に含まれる場合に、前記1フレーム期間内の２つの階調の一方は前記外部システムから要求された階調に応じて変化し、前記1フレーム期間内の２つの階調の他方は前記最大階調であることを特徴とする表示装置。
【請求項１３】
請求項１２の表示装置において、
前記外部システムから要求された階調が最大階調である場合に、前記1フレーム期間内の２つの階調は共に前記最大階調であることを特徴とする表示装置。
【請求項１４】
請求項１２の表示装置において、
前記外部システムから要求された階調の前記低階調側と前記高階調側の境界は、前記1フレーム期間内の２つの階調の一方を前記最小階調とし他方を前記最大階調として得られる階調であることを特徴とする表示装置。
【請求項１５】
請求項１２の表示装置において、
前記1フレーム期間内の２つの階調の輝度差に起因するフリッカが目視観測される場合に、前記1フレーム期間内の２つの階調の一方を高くし、又は／及び、前記1フレーム期間内の２つの階調の他方を低くすることを特徴とする表示装置。
【請求項１６】
1フレーム期間階調の表示を保持するホールド型の表示装置において、
各画素は、1フレーム期間内に２つの階調を表示することにより、外部システムから要求された１つの階調を表示し、
1フレーム期間内に２つの階調の輝度差が前記外部システムから要求された階調の輝度以下である場合に、前記1フレーム期間内の２つの階調の一方をできるだけ低くすることを特徴とする表示装置。
【請求項１７】
外部システムから入力される表示データに応じた階調又は輝度を表示する表示装置において、
マトリックス状に配列された複数の画素を有する表示パネルと、
前記外部システムから入力される表示データを保持可能なメモリと、
前記表示データを第１の表示データ及び第２の表示データへ変換する変換回路と、
前記表示データに対応する電圧を前記画素へ出力する第１のドライバと、
前記電圧を供給すべき画素のラインを走査する第２のドライバとを具備し、
前記外部システムから入力される表示データが中間階調である場合に、前記第１の表示データと前記第２の表示データの何れか一方の階調又は輝度は、前記外部システムから入力される表示データの階調又は輝度よりも高く、何れか他方の階調又は輝度は、前記外部システムから入力される表示データの階調又は輝度よりも低く、
前記第２のドライバは、前記第１の表示データに対応する第１の電圧を供給すべき画素のラインとして、互いに隣接する第１のｎライン（ｎは１以上の整数）を１ラインづつ順次選択し、次に、前記第２の表示データに対応する第２の電圧を供給すべき画素のラインとして、前記第１のｎラインとはmライン（ｍは２以上の整数）の間隔離れかつ互いに隣接する第２のｎラインを１ラインづつ順次選択し、再び、前記第１の表示データに対応する第１の電圧を供給すべき画素のラインとして、前記第２のｎラインとはmラインの間隔離れかつ互いに隣接する第３のｎラインを１ラインづつ順次選択し、次に、前記第２の表示データに対応する第１の電圧を供給すべき画素のラインとして、前記第３のｎラインとはmラインの間隔離れかつ互いに隣接する第４のｎラインを１ラインづつ順次選択する動作を繰り返すことを特徴とする表示装置。
【請求項１８】
請求項１７の表示装置において、
前記ｎは、１又は２又は４であることを特徴とする表示装置。
【請求項１９】
請求項１７の表示装置において、
１フレーム前の表示データを保持するフレームメモリを具備し、
前記第１の変換回路は、前記外部システムから入力される表示データと前記フレームメモリから読み出した１フレーム前の表示データの関係に基づいて前記外部システムから入力される表示データを第１の表示データに変換し、
前記第２の変換回路は、前記メモリから読み出した表示データと前記フレームメモリから読み出した１フレーム前の表示データの関係に基づいて前記メモリから読み出した表示データを前記第２の表示データに変換する電圧を前記画素に出力することを特徴とする表示装置。
【請求項２０】
請求項１７の表示装置において、
前記第１の表示データに応じた階調又は輝度及び前記第２の表示データに応じた階調又は輝度を前記表示パネルに表示する速度は、前記表示データを前記外部システムから入力する速度よりも大きいことを特徴とする表示装置。
【請求項２１】
請求項１７〜２０の何れかの表示装置において、
前記第２のドライバは、１フレーム期間内の第１の期間に、前記表示パネルの画素のラインの第１のグループの選択と前記表示パネルの画素のラインの第２のグループの選択とを交互に繰り返し、前記１フレーム期間内の第２の期間に、前記表示パネルの画素のラインの第１のグループの選択と前記表示パネルの画素のラインの第２のグループの選択とを交互に繰り返し、
前記第１のドライバは、前記第１の期間で前記第２のドライバが前記第１のグループを選択する場合に、前記第１の表示データに対応する第１の電圧を出力し、前記第１の期間で前記第２のドライバが前記第２のグループを選択する場合に、前記第２の表示データに対応する第２の電圧を出力し、前記第２の期間で前記第２のドライバが前記第１のグループを選択する場合に、前記第２の表示データに対応する第２の電圧を出力し、前記第２の期間で前記第２のドライバが前記第１のグループを選択する場合に、前記第１の表示データに対応する第１の電圧を出力し、
前記第１のグループは、前記第１のｎライン及び前記第３のｎラインを含み、
前記第２のグループは、前記第２のｎライン及び前記第４のｎラインを含むことを特徴とする表示装置。
【請求項２２】
外部システムから入力される表示データに応じた階調を表示する表示装置において、
マトリックス状に配列された複数の画素を有する表示パネルと、
前記外部システムから入力される表示データを保持可能なメモリと、
前記表示データを第１の表示データ及び第２の表示データへ変換する変換回路と、
前記表示データに対応する電圧を前記画素へ出力する第１のドライバと、
前記電圧を供給すべき画素のラインを走査する第２のドライバとを具備し、
前記外部システムから入力される表示データが中間階調である場合に、前記第１の表示データと前記第２の表示データの何れか一方の階調又は輝度は、前記外部システムから入力される表示データの階調又は輝度よりも高く、何れか他方の階調又は輝度は、前記外部システムから入力される表示データの階調又は輝度よりも低く、
1フレーム期間は、第１の期間と第２の期間を含み、
前記表示パネルの画素のラインは、Ｎ（Ｎは２以上で前記表示パネルの全ライン数よりも小さい整数）ラインを含む第１のグループとＭ（Ｍは２以上で前記表示パネルの全ライン数よりも小さい整数）ラインを含む第２のグループを含み、
前記第２のドライバは、前記第１の期間に、前記第１のグループのＮラインのうちのｎ（ｎは１以上で前記Ｎよりも小さい整数）ラインごとの走査と前記第２のグループのＭラインのうちのｍ（ｍは１以上で前記Ｍよりも小さい整数）ラインごとの走査とを交互に繰り返して、前記第１のグループと前記第２のグループを走査し、前記第２の期間に、前記第１のグループのＮラインのうちのｎラインごとの走査と前記第２のグループのＭラインのうちのｍラインごとの走査とを交互に繰り返して、前記第１のグループと前記第２のグループを走査し
前記第１のドライバは、前記第１の期間で前記第２のドライバが前記第１のグループを走査する場合に、前記第１の表示データに対応する第１の電圧を出力し、前記第１の期間で前記第２のドライバが前記第２のグループを走査する場合に、前記第２の表示データに対応する第２の電圧を出力し、前記第２の期間で前記第２のドライバが前記第１のグループを走査する場合に、前記第２の表示データに対応する第２の電圧を出力し、前記第２の期間で前記第２のドライバが前記第１のグループを走査する場合に、前記第１の表示データに対応する第１の電圧を出力することを特徴とする表示装置。
【請求項２３】
請求項２２の表示装置において、
前記第２のドライバは、前記ｎラインに含まれるラインを１ラインごとに順次選択して前記ｎラインを走査し、前記ｍラインに含まれるラインを１ラインごとに順次選択して前記ｍラインを走査することを特徴とする表示装置。
【請求項２４】
請求項２２又は２３の表示装置において、
前記ｎと前記ｍは等しく、
前記ｎ及び前記ｍは、１又は２又は3又は４であることを特徴とする表示装置。
【請求項２５】
請求項２２〜２４の何れかの表示装置において、
前記Ｎは、前記表示パネルの全ライン数の１／２であり、
前記Ｍは、前記表示パネルの全ライン数の１／２であることを特徴とする表示装置。
【請求項２６】
請求項２２〜２４の何れかの表示装置において、
前記第１の期間の長さと前記第２の期間の長さとは異なることを特徴とする表示装置。
【請求項２７】
請求項２６の表示装置において、
前記Ｎと前記Ｍとは異なることを特徴とする表示装置。
【請求項２８】
請求項２７の表示装置において、
前記第１の期間の長さと前記第２の期間の長さの比率は、前記Ｍと前記Ｎの比率に等しいことを特徴とする表示装置。
【発明の詳細な説明】
【技術分野】
【０００１】
本発明は、液晶表示装置、有機EL(Electro Luminescence)ディスプレイやLCOS(Liquid Crystal On Silicon)ディスプレイのようなホールド型の表示装置に係り、特に動画の表示に適した表示装置に関する。
【背景技術】
【０００２】
表示ディスプレイを特に動画表示の観点で分類した場合、インパルス応答型ディスプレイとホールド応答型ディスプレイに大別される。インパルス応答型ディスプレイとは、ブラウン管の残光特性のように、輝度応答が走査直後から低下するタイプであり、ホールド応答型ディスプレイとは、液晶ディスプレイのように、表示データに基づく輝度を次の走査まで保持し続けるタイプである。
【０００３】
ホールド応答型ディスプレイの特徴としては、静止画の場合はちらつきのない良好な表示品質を得ることができるが、動画の場合には移動する物体の周囲がぼやけて見える、所謂動画ぼやけが発生し、著しく表示品質が低下するという課題がある。この動画ぼやけの発生要因は、物体の移動に伴い視線を移動する際、輝度のホールドされた表示画像に対して移動前後の表示イメージを観測者が補間する、所謂網膜残像に起因するため、表示ディスプレイの応答速度をどれだけ向上させても動画ぼやけは完全に解消しない。これを解決するためには、より短い周波数で表示画像を更新するか、黒画面などの挿入によって一旦網膜残像をキャンセルすることで、インパルス応答型ディスプレイに近づける方法が有効である（非特許文献１参照）。
【０００４】
一方、動画が求められるディスプレイとしてはテレビ受像機が代表的なものであり、その走査周波数は例えばNTSC信号では60Hzの飛び越し走査、PAL信号では50Hzの順次走査といったように規格化された信号であり、この周波数に基づき生成した表示画像のフレーム周波数を60Hz乃至50Hzとした場合、周波数は高くないために動画ぼやけを生じてしまう。
【０００５】
この動画ぼやけを改善するための手段として、上記のより短い周波数で画像を更新する技術としては、走査周波数を高めると共に、フレーム間の表示データに基づき補間フレームの表示データを生成し、画像の更新速度を高める手法（以下、補間フレーム生成方法と略す）がある（特許文献１参照）。
【０００６】
黒フレーム（黒画像）を挿入する技術としては、表示データの間で黒表示データを挿入する技術（以下、黒表示データ挿入方式と略す）（特許文献２参照）や、バックライトの点灯および消灯の繰返しを行う技術（以下、ブリンクバックライト方式と略す）がある（特許文献３参照）。
【０００７】
また、黒画像を挿入する技術として、１フレーム期間を第１期間と第２期間に分割し、フレーム期間において画素に書き込むべき画素データを、映像全体の輝度が下がらないよう、第１期間において２倍して、集中的に書き込み、２倍にした値が表示可能レンジを超えた場合にかぎり、第２期間に残余の画素データを書き込み、これにより表示輝度の変化がインパルス型表示装置に近づき、動画像の視認性が改善する（特許文献４）。
【０００８】
【特許文献１】特開２００５−６２７５号公報
【特許文献２】特開２００３−２８０５９９号公報
【特許文献３】特開２００３−５０５６９号公報
【特許文献４】特開２００４−２４０３１７号公報
【非特許文献１】Moving Picture Quality Improvement for Hold-type AM-LCDs, Taiichiro kurita, SID 01 DIGEST
【発明の開示】
【発明が解決しようとする課題】
【０００９】
上記技術を適用することで、動画ぼやけを改善できるものの、それに伴い次の課題を含有することが知られている。
【００１０】
特許文献１に記載された補間フレーム生成方法に関しては、本来存在しない表示データを生成することになるため、より正確なデータを生成しようとすると回路規模が増大してしまい、逆に回路規模を抑えると補間生成ミスが発生し、表示品質の点では著しく低下する恐れがある。
【００１１】
一方、特許文献２や特許文献３に記載された黒フレームを挿入する手法では、原理的に補間生成ミスは発生せず、又、回路規模の点でも補間フレーム生成方法と比較して有利である。しかしながら、黒表示データ挿入方式とブリンクバックライト方式は何れにおいても黒フレームの分だけ全階調における表示輝度が低下してしまう。この輝度低下分を補償するために、黒表示データ挿入方式に対してバックライトの輝度を上昇させると、その分だけ消費電力の増大を招くと共に、発熱対策に多大な労力を必要とする。更に、黒表示における光漏れの絶対値が増大することによってコントラストの低下を招いてしまう。一方ブリンクバックライト方式では、非点灯状態から点灯状態に移行するために大電流を要したり、蛍光材料の違いによって可視光の応答速度が波長毎に異なることによる着色が生じる。
【００１２】
また、特許文献４に記載された黒挿入方式では、黒挿入によるインパルス型応答の効果はあるものの、1フレーム２分割であれば第１期間の表示データを２倍、１フレームＮ分割であれば第１記載の表示データをＮ倍にするだけであるため、液晶印加電圧と輝度の特性、液晶応答速度の特性が考慮されていないため、ディスプレイの所望の階調特性（γ特性）が得られずに画質が劣化してしまう。さらに、表示周波数を高速化、つまり、１フレームを２フィールド以上に分割してそれぞれ表示するため、表示周波数が２倍以上に高速化するだけで、液晶応答速度の高速化に関しては考慮されていないため、輝度低下、所望の階調特性（γ特性）が得られずに画質が劣化してしまう。さらには表示データを保持するフレームメモリの容量を削減する点も考慮されていないため、表示装置の低コスト化が困難となる。
【００１３】
本発明の目的は、輝度の低下やコントラストの低下、階調特性の劣化、発光に要する電力の増加、フレームメモリ等の回路の増加を抑制ししつつ、動画ぼやけを低減した表示装置を提供することである。
【課題を解決するための手段】
【００１４】
本発明は、各画素が複数の階調を表示することにより外部システムから要求される階調を擬似的に表示する。そして、外部システムから要求される階調が中間低階調である場合に、複数の階調の少なくとも１つの階調は最小階調（最小輝度）とし、外部システムから要求された階調が中間高階調である場合に、複数の階調の他の少なくとも１つの階調は最大階調（最大輝度）とする。つまり、外部システムから要求された階調が低階調側である場合に、所定の階調と最小階調とを切り替えて表示することにより、外部システムから要求された階調を擬似的に表示する。
【００１５】
一方、外部システムから要求された階調が高階調側である場合に、所定の階調と最大階調とを切り替えて表示することにより、外部システムから要求された階調を擬似的に表示する。また、複数の階調は、画素の印加電圧と輝度の特性、画素の応答速度の特性を考慮した表示データ変換手段を設ける。また、画素の応答を高速化するデータ補正手段を設ける。また、走査の動作を複数のフィールドの表示データが交互に選択できる走査選択手段を設ける。
【発明の効果】
【００１６】
本発明によれば、外部システムから要求された階調に依らず黒階調を挿入するのではなく、外部システムから要求された階調が低階調側である場合に、所定の階調と最小階調とを切り替えて表示することにより、外部システムから要求された階調を擬似的に表示し、一方、外部システムから要求された階調が高階調側である場合に、所定の階調と最大階調とを切り替えて表示することにより、外部システムから要求された階調を擬似的に表示するため、輝度の低下やコントラストの低下、発光に要する電力の増加を抑制ししつつ、動画ぼやけを低減できる。つまり、輝度が低い場合（低階調側）は、動画ぼやけを認識し易いため、最小階調を挿入することにより、動画ぼやけを低減し、一方、輝度が高い場合（高階調側）は、動画ぼやけを認識し難いため、挿入すべき低階調を高くすることにより、輝度の低下やコントラストの低下を低減する。
【００１７】
また、本発明によれば、階調特性の劣化、発光に要する電力の増加、フレームメモリ等の回路の増加を抑制ししつつ、動画ぼやけを低減することができる。
【発明を実施するための最良の形態】
【００１８】
以下、本明細書においては、外部システムから入力する1画面分の期間を1フレーム期間とし、表示パネルに対して全ての走査ラインを選択する期間を1フィールド期間と定義する。従って一般的な表示装置では1フレーム期間と1フィールド期間は等しくなる。
【００１９】
表示装置において、表示データが一定の状態で走査を繰り返すことで得られる輝度を静的輝度、1フィールド期間での平均輝度を動的輝度、観測者が視認する輝度を目視輝度とする。従って一般的なホールド型の表示装置では表示データが変化しない場合、静的輝度と動的輝度と目視輝度はほぼ等しくなる。
【００２０】
本発明では、外部システムから入力される1フレーム期間に対して複数フィールド期間（例えば、2フィールド期間）を割り当てると共に、複数フィールドの動的輝度から得られる目視輝度が外部システムが期待する表示輝度と一致するよう表示データの変換を行う。この場合、目視輝度は複数フィールド期間における動的輝度の平均値とほぼ一致する。
【００２１】
上記における表示データの変換は、一方のフィールドの動的輝度が他方のフィールドの動的輝度と比較して全ての階調において高いか若しくは等しくなるよう変換を行う。以下ではこのように変換した場合、他方と比較して輝度が高いフィールドを明フィールドと呼び、輝度が低いフィールドを暗フィールドと呼ぶ。
【００２２】
外部システムから入力される1フレーム期間に対して２フィールドを割り当てた場合、本発明のホールド型表示装置は、少なくとも1画面分の表示データを記憶するフレームメモリと、2種類のデータ変換回路を具備する。フレームメモリに書き込まれた表示データは同じデータを書き込んだ2倍の速度で2回に分けて読み出すと共に、1回目と2回目では異なるデータ変換回路によって表示データの変換が行われ、変換の行われたデータを表示パネルへの入力データとして、表示パネルに転送する。
【００２３】
そして本発明の実施例によれば、静的輝度が0から1の範囲を取るとすれば、例えば明フィールドの動的輝度を0.5、暗フィールドの動的輝度を0とした場合、これをフィールド毎に切り替えることで0.25なる目視輝度を得る。同様に明フィールドの動的輝度を1、暗フィールドの動的輝度を0とすれば0.5の目視輝度を得る。このように暗フィールドの動的輝度が0であれば黒フレーム挿入方式と同様の効果が得られることで、動画ぼやけを改善することができる。更に実施例１で示すMPRTの測定結果で示すように、暗フィールドは必ずしも最小の輝度である0である必要はなく、表示したい目視輝度以下となるフィールドを挿入することで動画ぼやけを低減できる。これに基づき、明フィールドの動的輝度を1、暗フィールドの動的輝度を0.5とした場合、目視輝度は0.75となるが、この場合であっても通常の駆動方式よりも動画ぼやけを改善できる。更に、明フィールド、暗フィールド共に動的輝度を1とした場合、目視輝度も1となり輝度低下をすることはない。若しくは明フィールドの動的輝度を1に、暗フィールドの動的輝度最大値を0.9とすれば、目視輝度は0.95となり、通常駆動よりも若干輝度が低下するものの、それに応じて動画ぼやけを低減することができる。以上で示される本発明の場合、暗フィールドの動的輝度を上昇させればそれに応じて動画ぼやけの改善効果が減少していくが、特許文献３の表示面の輝度と動画視認性関係を示した被検者テストの結果を示すグラフ（図１０）に示すように、輝度が高い領域での動画ぼやけは認識し難いため、本発明を適用することでMPRTで示される数値以上に十分な効果を得ることができる。
【００２４】
尚、本発明に類似する技術として、所謂FRC(Frame Rate Control)方式と呼ばれる多階調化方式が一般に知られている。FRC方式とは、フレーム毎に異なる階調表示を繰り返すことで、データドライバの有する以上の多階調化を実現する方式である。これに対し、本発明は動画ぼやけの改善とそれを実現する装置の提供であり、それを実現するため、１フレーム期間を暗フィールドと明フィールドに分けると共に、外部システムから入力されるフレーム周波数に対して2倍の周波数で駆動する点が異なる。
【００２５】
実施例１では、液晶駆動電圧を通常の駆動方式と本発明の駆動方式で同じとした上で、目視輝度の最大値（白輝度）が通常の駆動方式と同等となり、且つ動画ぼやけを改善し、MPRTが最小となるよう、暗フィールドでの動的輝度が最小となるようデータ変換を行った表示装置を提供する。
【００２６】
実施例２では、液晶駆動電圧を通常の駆動方式と本発明の駆動方式で同じとした上で、白輝度をやや下げる代わりに動画ぼやけがより小さくなるようデータ変換を行った表示装置を提供する。
【００２７】
実施例３では、液晶駆動電圧を通常の駆動方式と本発明の駆動方式で同じとした上で、目視輝度の最大値が通常の駆動方式と同等となり、且つ周波数が低い場合でもフリッカの少なくなるようデータ変換を行った表示装置を提供する。
【００２８】
実施例４では、液晶駆動電圧を通常の駆動方式と本発明の駆動方式で変えることで、白輝度は通常の駆動方式と同等とし、且つ応答速度の比較的遅い液晶表示装置に対しても安定した特性を示すようデータ変換を行った表示装置を提供する。
【００２９】
実施例５では、液晶駆動電圧を通常の駆動方式と本発明の駆動方式で変えることで、白輝度をやや下げる代わりに動画ぼやけがより小さくなくなり、応答速度の遅い液晶表示装置に対しても安定した特性を示すようデータ変換を行った表示装置を提供する。
【００３０】
実施例６では、液晶駆動電圧を通常の駆動方式と本発明の駆動方式で変えることで、白輝度は通常の駆動方式と同等とし、且つ応答速度の遅い液晶表示装置にて低い周波数で駆動した場合でも安定した特性を示すようデータ変換を行った表示装置を提供する。
【００３１】
実施例７では、1フレーム前の表示データを参照することで、表示データの補正を行い、これによって更なる動画ぼやけを改善した表示装置を提供する。
実施例８では、実施例１〜７に示した動画ぼやけを改善する本発明の駆動回路システムにおいて、フレームメモリのデータ容量を削減し、駆動回路システムの低コスト化を実現可能な表示装置を提供する。
実施例９では、実施例８の低コスト駆動回路システムにおいて、液晶駆動電圧の液晶表示パネルへの書き込み特性を改善し、高画質化を実現する表示装置を提供する。
実施例１０では、実施例１〜９に示した動画ぼやけを改善する本発明の明フィールド期間と暗フィールド期間の割合を制御し、液晶表示パネル特性や動画性能の要求に対応して動画ぼやけ性能を最適に設定可能な表示装置を提供する。
【実施例１】
【００３２】
以下、1フレームを2フィールドで駆動した場合の本発明の実施例について、図１〜１２を用いて説明する。
【００３３】
図１は4×3画素で構成した表示装置の各フィールドの動的輝度及び目視輝度のイメージを示す図である。本実施例は１フレームを2フィールドで構成し、そのうち何れの画素に対しても、一方のフィールドの動的輝度は他方のフィールドの動的輝度よりも常に明るいか、若しくは等しくなるような表示を行い、これをフレーム毎に繰り返すことで目的とする目視輝度を得る。従って、何れの画素に対しても（明フィールドの動的輝度）≧（目視輝度）≧（暗フィールドの動的輝度）となる。尚、１フレームあたり２フィールドの代わりに、１フレームあたり３フィールドや４フィールドであってもよい。この場合でも、少なくとも１フィールドが暗フィールドである。
【００３４】
図２は液晶表示装置の構成を示す図である。本装置は、RGB各色256階調で計1677万色の表示に対応したものとする。201はRGB各8ビットで計24ビットで構成される入力表示データ、202は入力制御信号群である、入力制御信号群202は、1フレーム期間（１画面分を表示する期間）を規定する垂直同期信号Vsync、1水平走査期間（１ライン分を表示する期間）を規定する水平同期信号Hsync、表示データの有効期間を規定するディスプレイタイミング信号DISP、及び表示データと同期した基準クロック信号DCLKで構成されるものとする。203は駆動選択信号である。この駆動選択信号203に基づき、従来の駆動方式か動画ぼやけを改善した駆動方式かの選択を行う。入力表示データ201、入力制御信号群202、駆動選択信号203は外部システム（例えば、TV本体やPC本体、携帯電話本体）から転送される。204はタイミング信号生成回路、205はメモリ制御信号群、206はテーブルイニシャライズ信号、207はデータ選択信号、208はデータドライバ制御信号群、209は走査ドライバ制御信号群である。データドライバ制御信号群208は表示データに基づく階調電圧の出力タイミングを規定する出力タイミング信号CL1とソース電圧の極性を決定する交流化信号M、表示データと同期したクロック信号PCLKで構成され、走査ドライバ制御信号群209は1ラインの走査期間を規定するシフト信号CL3、先頭ラインの走査開始を規定する垂直スタート信号FLMで構成されるものとする。210は少なくとも表示データの1フレーム分の容量を有するフレームメモリであり、メモリ制御信号群205に基づき表示データのリード、ライト処理を行う。211はメモリ制御信号群205に基づき、フレームメモリ210から読み出されたメモリリードデータ、212はテーブルイニシャライズ信号に基づき、内部に格納されたデータを出力するROM(Read Only Memory)、213はROMから出力されるテーブルデータ、214は明フィールド変換テーブル、215は暗フィールド変換テーブルである。各テーブルの値は電源投入時にテーブルデータ213に基づく設定がなされると共に、読み出されたメモリリードデータ211は各々のテーブルに設定された値に基づき変換がなされる。明フィールド変換テーブル214は、明フィールドのためのデータ変換回路の機能を有し、暗フィールド変換テーブル215は、暗フィールドのためのデータ変換回路の機能を有する。216は明フィールド変換テーブル214で変換された明フィールド表示データ、217は暗フィールド変換テーブル215で変換された暗フィールド表示データである。218は表示データ選択回路であり、データ選択信号207に基づき、明フィールド表示データ216、若しくは暗フィールド表示データ217の何れか一方を選択し出力する。219は選択されたフィールド表示データである。220は階調電圧生成回路、221は階調電圧である。222はデータドライバであり、データドライバ222は、階調電圧221から正極性、負極性各々2^8（2の8乗）=256レベル、合計512レベルの電位を生成すると共に、各色8ビットのフィールド表示データ219と極性信号Mに対応した1レベルの電位を選択し、液晶表示パネル226へのデータ電圧として印加する。223はデータドライバ222にて生成されたデータ電圧である。224は走査ドライバ、225は走査ライン選択信号である。走査ドライバ224は走査ドライバ制御信号群209に基づき走査ライン選択信号225を生成し、液晶表示パネ���の走査ラインへ出力する。226は液晶表示パネル、227は液晶表示パネル226の1画素の模式図である。液晶表示パネル226の1画素は、ソース電極、ゲート電極、ドレイン電極からなるTFT（Thin Film Transistor）と、液晶層、対向電極から構成される。走査信号をゲート電極に印加することでにTFTのスイッチング動作を行い、TFTが開状態ではデータ電圧がドレイン電極を介して液晶層の一方と接続したソース電極に書き込まれ、閉状態ではソース電極に書き込まれた電圧が保持される。このソース電極の電圧をVsとし、対向電極電圧をVCOMとする。液晶層は、ソース電極電圧Vsと対向電極電圧VCOMの電位差に基づき偏光方向を変えると共に、液晶層の上下に配置された偏光板を介することで、裏面に配置されたバックライトからの透過光量が変化し階調表示を行う。
【００３５】
図３は明フィールド変換テーブル214、暗フィールド変換テーブル215、及び表示データ選択回路218の構成を示す図である。明フィールド変換テーブル214はRGB各色毎の変換テーブル301-R、301-G、301-Bで構成され、暗フィールド変換テーブル215はRGB各色毎の変換テーブル302-R、302-G、302-Bで構成される。RGB各変換テーブルへの入力表示データDinr、Ding、Dinbに対して、明フィールド変換テーブル214では、Dlr=flr(Dinr)、Dlg=flg(Ding)、Dlb=flb(Dinb)、と変換され、暗フィールド変換テーブル211では、Ddr=fdr(Dinr)、Ddg=fdg(Ding)、Ddb=fdb(Dinb)、と変換される。表示データ選択回路218では、RデータDinrに基づき変換されたDlr、Ddrの何れか一方を、GデータDgに基づき変換されたDlg、Ddgの何れか一方を、BデータDbに基づき変換されたDlb、Ddbの何れか一方をデータ選択信号207に基づき選択する。
【００３６】
図４は変換テーブルの一例を示す図であり、0~255の離散値からなる入力データに対して明フィールド、暗フィールドに対して、マトリックスに示すフィールド表示データに変換する。
【００３７】
以下、実施例１の動作について詳細に説明する。
【００３８】
本実施例の表示装置では従来の駆動方式と以下で開示される実施例の駆動方式を外部システムからの要求に応じた切替が実現できるものとする。ここで、従来の駆動方式とは明フィールドと暗フィールドを用いない駆動方式、つまり、外部システムからの表示データに応じたデータ電圧を画素に印加する方式のことである、例えばPC等静止画が中心となる場合は従来の駆動方式を適用し、TV等動画が中心となる場合は本実施例を適用するのが好ましい。
【００３９】
この駆動方式の切替は駆動選択信号203に基づき行われる。駆動選択信号203に基づき、本実施例の駆動方式を適用する指示がなされると、タイミング信号生成回路204はROM212に対してテーブルイニシャライズ信号206を転送する。ROM212は内部に図４に示すようなテーブルデータが格納されており、その値をテーブルデータ213として明フィールド変換テーブル214、暗フィールド変換テーブル215に転送する。尚、従来の駆動方式を適用する指示がなされた場合は変換は行われないため、明フィールド変換テーブル214、暗フィールド変換テーブル215に入力したメモリリードデータ211に対して何ら変換を行わない値を設定する。これはROM212にそのデータを持っても、或いは変換テーブル215、216の初期値として設定してもよい。又、従来の駆動方式としては変換を行わず1フレームを2フィールドで駆動しても（これは各画素に対して1フレームで2回同じデータを書き込むことに相当する）、1フィールドで駆動してもよい（これは各画素に対して1フレームで1回データを書き込むことに当する）。以下では動画ぼやけ改善を目的とし、明フィールドと暗フィールドからなる駆動方式が選ばれた場合について説明する。
【００４０】
図５は本発明を適用した場合のタイミング仕様を示す図である。
【００４１】
外部システムから入力された制御信号群202に基づき、タイミング信号生成回路204はメモリ制御信号群205、データ選択信号207、データドライバ制御信号群208、走査ドライバ制御信号群209を生成する。表示データ201は、メモリ制御信号群205に基づき、一旦フレームメモリ210にライトされた後、図５のタイミング図に示すように、N（Nは。０以上の整数とする）フレーム目のデータが2Nフィールド目（偶数フィールド目）と(2N+1)フィールド目（奇数フィールド目）の2回に渡ってメモリリードデータ211としてリードされる。尚、1フレーム分の表示データを2回に渡ってリードするため、1ライン分の表示データのリードに要する期間は水平同期信号Hsyncの略半分となるが、これはフレームメモリから2倍の速度でリードするか、若しくはバス幅を2倍とすると共に、垂直同期信号Vsync、水平同期信号Hsyncの2逓倍の周期を持つ信号を生成することで容易に実現できる。
【００４２】
このように読み出されたメモリリードデータ211は明フィールド変換テーブル214、暗フィールド変換テーブル215に転送され、表示データに応じた変換がなされる。この変換はカラーフィルタやバックライト、液晶表示素子の波長分散特性等液晶表示装置の特性に応じて、図３に示すようにRGB各色に応じて変えることが可能である。逆に液晶表示装置の特性によっては、変換テーブルを1種類とし各色同じ変換テーブルとしても良く、この場合変換テーブルのサイズを1/3とすることが可能となる。
【００４３】
より具体的な変換テーブルは、図４に示すようなマトリックス構成からなり、例えばメモリリードデータ211のR（赤）データDinr＝4である場合、R用明フィールド変換テーブル301-RはDlr＝6に変換し、R用暗フィールド変換テーブル302-RはDdr＝0に変換する。同様に、メモリリードデータ211のG（緑）が253である場合、G用明フィールド変換テーブル301-GはDlg＝255に変換し、G用暗フィールド変換テーブル302-GはDdg＝249に変換する。尚、これらの変換自体は高々数クロックで実現できる。このようにテーブルを用いて変換された明フィールド表示データ216、暗フィールド表示データ217は表示データ選択回路218においてデータ選択信号207に基づき何れか一方のデータがフィールド表示データ219として選択される。データ選択信号207は図５に示すように、メモリリードデータ211が1回目の読み出しデータであるか2回目の読み出しデータであるかで極性が変化する。従って、本実施例のデータ選択信号207は垂直同期信号Vsyncに同期して、垂直同期信号Vsyncと同一周波数で信号のハイ期間とロー期間が略同一となる。
【００４４】
以上のように変換、選択されたフィールド表示データ219はデータドライバ制御信号群208と共にデータドライバ222に転送される。データドライバ222はフィールド表示データ219に基づき階調電圧221を分圧して生成される、正極性、負極性各々256レベルの階調電圧のうち、フィールド表示データ219と極性信号Mに対応した1レベルの電圧を選択し、データドライバ制御信号群208に含有される出力タイミング信号CL1に基づき液晶表示パネル226に出力される。同時に走査ドライバ224は走査ドライバ制御信号群209に基づき、液晶表示パネル226の走査ラインが選択され、選択された走査ラインの各画素に対して、TFTを介しドレイン電極の電位がソース電極にソース電圧Vsとして書き込まれる。これによって液晶層に対しては対向電極電圧VCOMとソース電圧Vsの差電圧が書き込まれることになる。
【００４５】
図６は液晶表示パネルの1画素に印加される駆動電圧波形を示す図である。
【００４６】
液晶表示素子に対しては、直流成分が比較的長い（数10〜数100秒以上）期間に渡って印加されると短期の焼き付きが発生したり、更に長い期間（数10〜数100日以上）に渡って印加されると元の状態に戻らない素子破壊が発生する恐れがある。これを防ぐため、液晶表示装置では、ドット反転方式やライン反転方式等と呼ばれる極性反転駆動方式が採用されている。ここで極性とは対向電極電圧VCOMからみたソース電圧Vsの電位レベルを示すものであり、以下、ソース電圧Vsが対向電極電圧VCOMよりも高ければ正極性、低ければ負極性と呼ぶ。これらの駆動方式はある画素に対して隣接する画素の極性は反転方式によって異なるものの、各画素を見た場合、書き込まれる毎に極性を変化させている。
【００４７】
これに対して本発明を適用して中間調表示を行う場合、明フィールド変換テーブルと暗フィールド変換テーブルの値が異なれば、明フィールドのソース電圧と暗フィールドのソース電圧の絶対値が異なり、且つ明フィールドと暗フィールドを交互に表示するため、従来の交流周期では液晶表示素子に直流成分が印加されることとなる。
【００４８】
これを防止するため、本実施例では図６に示すように、2フィールド毎に交流周期を変化させる。即ち、ある明フィールドでの印加電圧を正極性とした場合、次の明フィールドでは負極性とし、更に次の明フィールドでは正極性とする。暗フィールドに関しても同様に液晶表示素子に印加される電圧の極性が正極性と負極性で交互に印加されるようにする。但し隣接する明フィールドと暗フィールドでは極性の条件はない。以下、この2フィールド毎に極性を反転させる駆動方式を2フィールド反転方式と呼び、同様にnフィールド毎に反転する駆動方式をnフィールド反転方式と呼ぶ。尚、本実施例では１フレーム期間を２フィールド期間に分割しているため、２フィールド毎とは１フレーム毎となる。
【００４９】
以上のような2フィールド反転方式を適用することで、入力表示データが一定である場合、明フィールド、暗フィールド各々での直流成分をキャンセルすることが可能となる。
【００５０】
図７は1画素に印加される交流周期の一例を示す図であり、2フィールド毎に極性反転させると共に必要に応じて3フィールド毎に極性反転させた場合を示している。
【００５１】
放送波の映像信号によっては、外部システムからの入力信号によっては2フレーム乃至4フレームといった周期で表示パターンで常に変化する場合がある。これに起因して発生する直流成分のキャンセル方法について図７を用いて説明する。
【００５２】
図７はある画素に着目した場合の極性を示す図であり、括弧内のｘ、ｙは入力表示データで、2フレーム毎に表示パターンが変化することを示している。図７において、パターン1では、明フィールド：正極性（ｘ）、暗フィールド：正極性（ｘ）、明フィールド：負極性（ｙ）、暗フィールド：負極性（ｙ）、と順に変化し、パターン2では、明フィールド：負極性（ｘ）、暗フィールド：正極性（ｘ）、明フィールド：正極性（ｙ）、暗フィールド：負極性（ｙ）、と順に変化し、パターン3では、明フィールド：負極性（ｘ）、暗フィールド：負極性（ｘ）、明フィールド：正極性（ｙ）、暗フィールド：正極性（ｙ）、と順に変化し、パターン4では、明フィールド：正極性（ｘ）、暗フィールド：負極性（ｘ）、明フィールド：負極性（ｙ）、暗フィールド：正極性（ｙ）、と順に変化する。表示データが固定である、即ちｘ＝ｙの場合、何れのパターンにおいても2フィールド反転方式であるため、液晶素子に直流成分は印加されない。これに対し、ｘ≠ｙにおいて各パターンのみで交流化を行う場合には、何れにおいても正極性と負極性での液晶印加電圧（液晶層に作用する電圧）の絶対値が異なるために直流成分が印加されるが、パターン1からパターン2へ、パターン2からパターン3へといったように別のパターンに移行する矢印の如く交流パターンを変え、4つのパターンを同じ比率で組み合わせた場合、何れのフィールドでも正極性と負極性の比率が等しくなり、結果として直流成分は印加されない。この4パターン全て組み合わせるのに要するのに最低限必要なフレームは、各パターン内で暗フィールド（ｙ）から明フィールド（ｘ）へ移行する矢印を経由しない場合であり、この場合、8フレーム16フィールドが必要である。ここで、1フレームをNTSC信号に基づく60Hzとした場合、8フレームに要する期間は133ms程度であり、これは短期の焼き付きが発生する数10秒よりもはるかに短い。逆に短期の焼き付きが40秒で発生するとした場合、パターン1を20秒繰り返し、次にパターン2に移行してこれを20秒繰り返し、次にパターン3に移行してこれを20秒繰り返し、次にパターン4に移行してこれを20秒繰り返し、再びパターン1に移行して20秒繰り返すことで、連続した直流成分の印加は最大でも40秒となり、短期の焼き付きを防止できる。尚、通常の駆動方式における中間調表示で途中で交流周期を変化させた場合、その前後で僅かながら輝度が変化し、それが目視でちらつきとして観測される場合があるが、本駆動方式における中間調表示では、明フィールドと暗フィールドでは印加電圧が異なることと、それに伴い液晶表示素子は常に応答中であるため、ちらつきを十分抑えることが可能となる。  図８は図７とは異なる1画素に印加される交流周期の一例を示す図であり、2フィールド毎に極性反転させると共に必要に応じて1フィールド毎に極性反転させた場合を示している。図８に示すように2フィールド反転方式と1フィールド反転方式を組み合わせた場合においても、図７と同様に最低8フレーム16フィールドで2フレーム単位となる表示データに起因する直流成分をキャンセルすることが可能となる。
【００５３】
以上、本実施例の動作の流れについて説明した。次に明フィールド変換テーブル214、暗フィールド変換テーブル215の変換アルゴリズムについて、図９〜図１３を用いてより詳細に説明する。尚、図３において、変換テーブルはRGB毎に別のテーブルを容易したが、これは前説したように、カラーフィルタやバックライトの特性を適切に設定することで、各色同様のテーブルを用いることができ、又、説明を容易とするため、以下の説明において変換テーブルは各色毎に共通の値を用いることとする。
【００５４】
図９は横軸をソース電極電圧Vsと対向電極電圧VCOMの電位差の絶対値である液晶印加電圧Vとし、縦軸を液晶表示パネルの静的輝度TとしたV-T特性を示す図である。
【００５５】
液晶表示パネルは一般に、液晶印加電圧Vに対して静的輝度Tが図９のV-T特性に示すように変化し、その輝度が最小となるTminと、最大となるTmaxを有する。従って、ノーマリブラックで256階調表示の場合、Tminを得る液晶印加電圧Vminを液晶駆動データDが0階調の場合に対応させ、Tmaxを得る液晶印加電圧Vmaxを液晶駆動データDが255階調の場合に対応させる。尚、実際の液晶ディスプレイではばらつきを考慮し、必ずしもTmin、Tmaxを0階調、2555階調と設定しておらず、ここでいうTmin、Tmaxは各々最低、最高の静的輝度を得る前後5％程度の範囲を含んでいる。また、ノーマリホワイトの場合は、輝度と液晶印加電圧の関係は、逆になる。
【００５６】
表示ディスプレイは人間の目視で各階調間の輝度差が等間隔に近いことが望ましく、一般に256階調の場合、液晶駆動データDと静的輝度Tの間には、
（静的輝度T）＝（液晶駆動データD／255）＾γ  ・・・  （式1）
となる、所謂ガンマカーブを満足するよう設計される。尚、γ＝2.2が用いられることが一般的であることから、以下γ＝2.2として説明する。
【００５７】
図９の静的輝度特性を有し、（式1）で示すガンマ特性を有する液晶表示パネルにおいては、液晶駆動データDと液晶印加電圧Vの関係は一意的に決まる、
図１０は横軸をデータドライバ222に入力される表示データ、縦軸をデータドライバ222から出力されるデータ電圧の絶対値としたのD-T特性を示す図である。図１０で示すように、低階調や高階調側では、D-T特性の傾きが急になり、液晶駆動データDの変化に対して液晶印加電圧Vの変化が大きくなる特性となる。
【００５８】
図１１Ａは横軸を入力表示データ、縦軸を明フィールド表示データ及び暗フィールド表示データとし、入力表示データからフィールド表示データへの変換特性を示す図であり、図１１Ｂは上図に伴うより具体的な変換特性を示す。
【００５９】
本実施例における変換アルゴリズムは、明フィールドと暗フィールドを合わせて入力表示データに対応した目視輝度を実現し、且つ暗フィールドはできるだけTminとなる動的輝度を得ること、入力表示データが最も明るくなる255階調の場合の静的輝度はTmaxと同等であることを条件（以下、本条件を条件１とする）とする。暗フィールドの動的輝度が小さいほど、暗フィールドの動的輝度が小さい範囲が大きいほど動画ぼやけを低減できる。よって、暗フィールドはTminであるのが好ましいが、Tminよりも少し高い輝度であってもよい。暗フィールドの動的輝度がTminである範囲は、0階調から明フィールドの動的輝度がTmaxとし暗フィールドの動的輝度をTminとして得られる目視輝度に対応する入力表示データの階調までの範囲である。但し、明フィールドの動的輝度がTmaxとし暗フィールドの動的輝度をTminとして得られる目視輝度に対応する入力表示データの階調よりも少し小さい階調までであってもよい。また、明フィールドの動的輝度をTmaxである範囲は、明フィールドの動的輝度をTmaxとし暗フィールドの動的輝度をTminとして得られる目視輝度に対応する入力表示データの階調から256階調までの範囲である。但し、明フィールドの動的輝度をTmaxとし暗フィールドの動的輝度をTminとして得られる目視輝度に対応する入力表示データの階調よりも少し小さい階調からであってもよい。
【００６０】
液晶表示素子の立上り時間Tr、立下り時間Tfが共に0と仮定すると、
（表示輝度）＝（明フィールドの静的輝度T）／2＋（暗フィールドの静的輝度T）／2  ・・・  （式２）
と近似できる。入力表示データをDin、明フィールド表示データをDlight、暗フィールド表示データをDdarkとすると、（式１）（式２）からγ=2.2において、
【００６１】
【数１】
2006343706.tif 000003
【００６２】
となり、図１１Aの実線で示される特性を得る。図１１Aによれば、明フィールドの階調と明フィールドの階調との差分は、最大でも255階調分程度である。理論値で240階調分程度であり、実測値で247階調分程度である。これに対して256階調のデータドライバを有する３２型IPS方式の液晶表示パネルに対して条件１で示した変換アルゴリズムを適用して実測データを得た結果、実線に示すように、明フィールドでの変換データが255階調以外となる領域と、暗フィールドでの変換データが0階調以外となる領域において、理論値の特性に対して上に凸となる特性を得た。このように、入力表示データと変換表示データの関係は、条件１に基づいた場合でも適用する液晶表示素子の応答特性に起因して異なるものとなる。尚、変換テーブルは必ずしも全ての入力表示データに対するテーブル値を持つ必要はなく、階調間でのリニアリティが十分満足されれば、例えば図１１Bに示すように、１６階調毎のテーブルを用意しておき、その間の階調に関しては、線形補間等といった補間によって変換表示データを生成してもよい。これによって変換テーブルのサイズを小さくすることが可能となる。このような変換テーブルを用いた場合における液晶パネルの輝度応答波形を図１２に示す。図１１Bによれば、明フィールドの階調と明フィールドの階調との差分は、最大でも理論値で240階調分程度であり、実測値で247階調分程度である。明フィールド表示データDlightは、入力表示データDinを単純に２倍した値を常にとるわけではない。
【００６３】
図１２は黒表示（入力表示データ：0階調）の場合、低階調（入力表示データ：63階調）の場合、高階調（入力表示データ：191階調）の場合、白表示（入力表示データ：255階調）の場合における、複数フィールドに渡る輝度応答波形を示す図である。図１２においては、入力表示データが0階調で静的輝度がTminとなる場合、入力表示データが63階調である低輝度中間調表示の場合、入力表示データが191階調である高輝度中間調表示の場合、入力表示データが255階調で最大輝度がTmaxとなる場合を示している。変換テーブルとして、図１１Bの実測データを用いた場合、入力表示データが0階調の場合は明フィールド、暗フィールド共にフィールド表示データは0階調となるため、フィールドに関わらず最小の輝度Tminとなる。入力表示データが63階調の場合は、明フィールド表示データは124階調に、暗フィールド表示データは0階調に変換され、それらに基づきフィールド毎に輝度が変化するが、得られる目視輝度は63階調とした場合と同等となる。入力表示データが191階調の場合は、明フィールド表示データは255階調に、暗フィールド表示データは8階調に変換され、それらに基づきフィールド毎に輝度が変化するが、得られる目視輝度は191階調とした場合と同等となる。入力表示データが255階調の場合は、明フィールド表示データ、暗フィールド表示データ共に255階調に変換されるため、得られる静的輝度は最大値であるTmaxを得る。
【００６４】
尚、実測データにおいて、明フィールド表示データが255階調、暗フィールド表示データが0階調となる入力表示データは188であった。従って、188階調以下では明フィールド表示データとして256階調から188階調を選択し、189階調以上では暗フィールドデータとして256階調から66階調を選択することとなり、階調数が不足することはない。1フレーム期間の第１期間を明フィールド期間、第２期間を暗フィールド期間としてもよいし、逆に、1フレーム期間の第１期間を暗フィールド期間、第２期間を明フィールド期間としてもよい。
【００６５】
以上のような構成及び変換アルゴリズムによって本実施例は実現できるが、その効果について、図１３にN-BET及びMPRTの測定結果を示す。ここで、N-BET（Normalized Blurred Edge Time）とは動画ぼやけ幅を移動速度で規格化した数値であり、MPRT（Moving Picture Response Time）とは各階調間のN-BETの平均値であり、何れも単位はmsで、値が小さい程、動画ぼやけが改善されていることになる。
【００６６】
図１３は従来の駆動方式と本実施例に基づく駆動方式に対して、動画ぼやけの指標であるN-BET及びMPRTを計測した値である。図１３Ａは前説した３２型IPS方式の液晶表示パネルを用いて、フレーム周波数60Hzである入力表示データに対して、フィールド周波数60Hzである通常の駆動方式を適用した場合であり、図１３Ｂは同じくフレーム周波数60Hzに対して本実施例の駆動方式を適用し、フィールド周波数120Hzにて明フィールドと暗フィールドにて駆動した場合である。ここで通常の駆動方式とは、入力表示データに基づき、例えば前フレームの表示データと現フレームの表示データを比較し、波形をシュートさせる所謂オーバードライブ駆動方式やブリンクバックライト方式といった既存の動画ぼやけ改善技術を適用していない場合であり、本実施例を適用した値も同様にそれ以外の動画ぼやけ改善技術を適用していない。評価の結果、MPRTは18.2msから11.0msと大幅な改善を示し、特に中間調低輝度側において高い改善効果を示した。
【実施例２】
【００６７】
次に実施例１とは異なる明フィールドと暗フィールドに係る表示データの変換アルゴリズムについて、図１４に示す入力表示データ201と、明フィールド表示データ216及び暗フィールド表示データ217の関係を用いて説明する。
【００６８】
実施例１で示したフィールド変換においては、条件１に基づき変換を行ったが、本実施例では、明フィールドと暗フィールドを合わせて入力表示データに対応した目視輝度を実現し、且つ暗フィールドはできるだけTminとなる動的輝度を得ること、且つ白輝度（255階調）へ階調が変化する場合においても動画性能の向上を図ること、を条件（以下、条件２）とする。条件２を実現するために、本実施例では暗フィールドにおける静的輝度の最大値を図１４に示すようにTmax以下としている。ここで、図１３で示したように暗フィールドデータが0でない場合でもN-BETは低減していることから、255階調において、明フィールドと暗フィールドの静的輝度を変えることで、目視輝度は低下するものの、それに応じて動画性能の向上を図ることが可能である。この場合、動画ぼやけを改善すべく図１４に示すように、入力表示データが255階調に対する暗フィールド表示データを低下させる程、（式１）で示されるガンマ特性に応じて全体の輝度特性を低減させる必要があるのに対し、明フィールド表示データが255階調での（動的輝度は前フィールドである暗フィールドから応答するために低下するが）静的輝度は変化しないため、暗フィールド表示データの最大値を下げる程、明フィールド表示データを255階調となる入力表示データの最小値は小さくなる。
【００６９】
以上のアルゴリズムに基づき変換を行うことで、実施例１と比較して、白輝度は低下するものの、それに応じて高輝度側に対しても動画ぼやけを改善することが可能となる。
【実施例３】
【００７０】
次に、実施例１、２とは異なる変換パターンについて、図１５に示す入力表示データ201と、明フィールド表示データ216及び暗フィールド表示データ217の関係を用いて説明する。
【００７１】
ここで、放送波のフレーム周波数としてはNTSC方式、PAL方式、SECAM方式が知られている。NTSC方式における１画面走査周波数（所謂飛び越し走査方式におけるフィールド周波数であるが、本明細書で用いているフィールド周波数とは異なる意味を有する）は約60Hzであり、これを2フィールドで駆動した場合、1フィールド周波数は約120Hzとなる。これに対し、PAL方式やSECAM方式における１画面走査周波数は約50Hzであり、これを2フィールドで駆動した場合、1フィールド周波数は約100Hzとなる。実施例１、２の変換アルゴリズムを用いることで暗フィールドにおける動的輝度を下げる程、網膜残像がリセットされるために動画ぼやけは低減するが、フィールド周波数が約110Hzを下回るとフリッカ（ちらつき）が目視で観測され始める。これに対し、図１５に示すように、明フィールド表示データが255階調となる前に暗フィールド表示データを0階調から変化させる。つまり暗フィールド表示データを０階調から除々に大きくする、これにより、目視輝度を維持したまま、明フィールドでの動的輝度と暗フィールドでの動的輝度の差を減少させることができる。明フィールドの階調と暗フィールドの階調の差分は、最大でも140階調分程度となる。これによって実施例１と比較した場合に動画ぼやけの改善効果はやや劣るものの、外部システムからの入力周波数が低い場合にもフリッカを低減することが可能となる。
【００７２】
更に、256階調に対応したデータドライバに対して、実施例1に示した条件1の変換アルゴリズムを適用した場合、得られる階調数は、暗フィールドを0階調とし、明フィールドを1階調から255階調とした結果得られる255階調と、明フィールドを255階調とし、暗フィールドを1階調から254階調とした254階調の合計509階調であり、これから入力表示データにおける0階調と255階調を除いた254階調を選択するのに対し、条件３では暗フィールドを0階調とした場合に明フィールドを0〜255階調とした256通り、暗フィールドを1階調とした場合に明フィールドを1〜255階調とした255通り、暗フィールドを2階調とした場合に明フィールドを2〜255階調とした254通り、・・・暗フィールドを254階調とした場合に明フィールドを254、255階調とした2通り、暗フィールドを255階調とした場合に明フィールドを255階調とした1通り、の合計約9.9万通りの階調から白表示、黒表示を含む256階調を選べばよく、それだけガンマ特性が良好な階調表示を実現できる。
【実施例４】
【００７３】
次に、図２とは異なる構成について、図９、及び図１６〜図１８を用いて説明する。
【００７４】
実施例４では実施例１、２と比較して通常の駆動方式と本実施例の駆動方式で階調電圧の値を変えることによって、液晶表示素子の立上り時間を改善すると共に、これによって中間調高階調側における暗フィールドの輝度を低減せしめ、動画ぼやけを更に改善した表示装置を提供するものである。
【００７５】
図１６は本実施例の構成を示す図であり、図２と同等の機能を有する場合は同等の符号としている。1601は階調電圧制御信号であり、本実施例では通常の駆動方式と明フィールドと暗フィールドからなる2フィールドにて駆動した本発明の駆動方式で階調電圧の設定を変え、それによって応答速度が比較的遅い液晶表示パネルに対しても、より広い範囲で動画性能の向上を図る実施例である。尚、図１６においては、図２で示したROM212とそれに付随したテーブルイニシャライズ信号206、テーブルデータ213を記していないが、これは実施例を制限するものではない。又、図２における表示データ選択回路218は2入力からの選択するのに対し、図１６では入力表示データ201を含めた3データから選択している。つまり、入力表示データ201は、フレームメモリ210及び明フィールド変換テーブル214及び暗フィールド変換テーブル215をバイパスして、表示データ選択回路218に入力される。表示データ選択回路218からの出力データとして入力表示データ201を選択した場合、1フレームを1フィールドにて駆動する、所謂通常の駆動方式となる。
【００７６】
駆動選択信号203に基づき通常の駆動方式を選択した場合、入力表示データにそのまま対応するデータ電圧が直接液晶表示パネル226に転送されると共に、タイミング生成回路204は入力制御信号群202に基づき表示パネルに適したデータドライバ制御信号群208、走査ドライバ制御信号群209を生成する。この場合、制御信号群202の垂直同期信号Vsyncが60Hzであれば、液晶表示表示パネルに転送される垂直スタート信号FLMも略60Hzとなる。階調電圧生成回路220は通常の駆動方式に応じたガンマ特性となるよう階調電圧を出力し、これに基づき表示を行う。
【００７７】
同様に、動画ぼやけを改善する駆動方式が選択された場合、階調電圧生成回路220は階調電圧制御信号1501に基づき、本実施例に適したデータ電圧を出力する。
【００７８】
図１７は本実施例における変換アルゴリズムに基づく、入力表示データ201と、明フィールド表示データ216及び暗フィールド表示データ217の関係を示す図であり、本実施例では、明フィールド表示データとしてTmaxを超える範囲の電圧を印加すると共に、高階調側では、暗フィールド表示データ217が大きくなるにつれて明フィールド表示データを減少させ、入力表示データが255階調の場合、明フィールド、暗フィールド共にTmaxとなるよう設定している。
【００７９】
図１８は本実施例の表示装置を適用することで、液晶駆動電圧をVmax以上に上昇させた場合におけるの輝度応答波形を示す図である。
【００８０】
以上の図面に基づき、実施例４について、特に動画ぼやけを改善すべく2フィールドで駆動した場合の動作について説明する。
【００８１】
一般に液晶表示素子の立上り応答時間は液晶印加電圧を高くするにつれて短くなる特性を有する。従って、図９にて示したようにTmaxを得る電圧Vmaxを印加した場合、静的輝度は最大となるが、本発明の動画ぼやけ改善駆動を適用した場合、表示データが変化しない限り、中間調における明フィールドは、常にそれよりも輝度の低い暗フィールドから立ち上げるため、Tmax以上の電位を印加した方が立上り時間を短縮できる。その結果、図１８に示すように輝度応答が安定した領域により速く移行することができるため、液晶表示パネルの温度や液晶層の厚みといった応答速度の他のパラメータへの依存度を減少せしめることが可能となる。
【００８２】
更に、明フィールドの動的輝度が上昇することは、その分暗フィールドの動的輝度を低下させることが可能となる。暗フィールドの輝度を低下させれば、その分動画ぼやけを改善することに繋がり、これによって中間調高輝度側においても動画ぼやけを低減することが可能となる。
【００８３】
更に暗フィールドのデータ変換が0以外の領域に対して、目視輝度が設定されたガンマ設定となるべく、暗フィールドの変換データを上げていくと共に、明フィールドの変換データを下げていく。これによって、入力表示データの高階調側においても明フィールドの輝度低下を抑え、入力表示データが白輝度を指定する255階調において、明フィールドの駆動電圧がTmaxを取るよう変換すれば、明フィールドで最大輝度を得ることができる。従ってある値以上の高階調における明フィールド表示データは、表示輝度が上がるにつれて図１７に示すように低下することとなる。同時に、入力表示データが255階調の場合において、暗フィールドの変換データを図１７に示すようにTmaxとなるように設定すれば、白輝度は最大となり、Tmax以下に抑えれば白輝度は低下するものの、高階調側でも動画ぼやけを改善できる。
【実施例５】
【００８４】
次に図１６で示した表示装置を用いた場合において、実施例４とは異なる明フィールド表示データと暗フィールド表示データの変換アルゴリズムについて、図１９を用いて説明する。
【００８５】
図１９に示す変換アルゴリズムにおいて、明フィールド表示データは、中間調においてTmaxを超える電圧を印加するよう変換すると共に、実施例４と異なり、入力表示データがそれ以上の階調表示を示す場合においても、同じ変換データとする。つまり、明フィールド表示データを一定とする。暗フィールド表示データはこのように変換された明フィールド表示データによって得られる動的輝度との組み合わせによって表示装置の目的とするガンマ特性が得られるよう変換を行う。この場合において、入力表示データが255階調である場合の目視輝度を最大とするには、暗フィールド表示データをTmax近辺となるよう変換を行えばよく、目視輝度を若干犠牲にする代わりに動画ぼやけを改善するには、暗フィールド表示データの値を下げればよい。
【００８６】
ここで図１９に示すように、入力表示データが255階調に対する暗フィールド表示データを低下させる程、（式１）で示されるガンマ特性に応じて全体の輝度特性を低減させる必要があるのに対し、入力表示データが255階調に対する明フィールド表示データの静的輝度は変化しないため、暗フィールド表示データの最大値を下げる程、明フィールド表示データを255階調とする入力表示データの階調設定は大きくなる。
【００８７】
以上で示された変換アルゴリズムを適用した場合、実施例４と比較して、白輝度は低下するものの、各階調に対して、明フィールド表示データ若しくは暗フィールド表示データの一方は255階調、若しくは0階調の固定された設定となり、入力表示データと輝度の関係が階調間で逆転することがなく、設定が容易となる。
【実施例６】
【００８８】
次に図１６で示した、通常駆動方式と本発明の駆動方式で液晶駆動電圧を変えた場合における、実施例４、実施例５とは異なる明フィールド表示データと暗フィールド表示データの変換アルゴリズムについて、図２０を用いて説明する。
【００８９】
図２０に示す変換アルゴリズムにおいて、明フィールド表示データは、中間調においてTmaxを超える電圧を印加するよう変換すると共に、暗フィールド表示データは暗フィールドの静的輝度を最大とした状態に対する、明フィールドの動的輝度が最大となる状態まで、暗フィールド表示データを最小値である0階調に変換したが、本実施例６では、明フィールドの動的輝度が最大となる階調よりも低い階調において暗フィールド表示データを0階調より大きい階調に変換する。
【００９０】
このように変換した場合は、実施例３で示した場合と同じように、明フィールドの動的輝度と暗フィールドの動的輝度の輝度差の最大値が実施例４よりも小さくなり、これによって入力フレーム周波数が50Hz以下の場合においてもフリッカを感じ難くすることが可能となり、更に実施例３における記載と同じ理由によって、ガンマ特性が良好な表示装置を提供することが可能となる。
【実施例７】
【００９１】
次に１フレーム前の表示データを参照することで、更なる動画ぼやけの改善を図る方法について、図２１〜２５を用いて説明する。
【００９２】
図２１は本実施例の構成を示す図であり、図２と同等の機能を有する場合は同等の符号としている。2101はフレームメモリAであり、図２で示したフレームメモリ210と同じく、少なくとも1フレーム期間分の表示データを格納する容量を有すると共に、メモリ制御信号群205に基づきライト、リード動作を行う。2102はフレームメモリAからメモリ制御信号群205に基づき読み出されたメモリリードデータA。2103はフレームメモリB、2104はメモリリードデータBである。フレームメモリB2103はメモリ制御信号群205に基づきメモリリードデータA2102が書き込まれると共に、1フレーム期間経過後に、メモリリードデータB2104として読み出される。2105は明フィールド変換テーブル、2106は暗フィールド変換テーブルである。実施例６までに記載された明フィールド変換テーブル及び暗フィールド変換テーブルは該当画素に係る現フレームの表示データのみから変換を行っていたが、本実施例における明フィールド変換テーブル2105及び暗フィールド変換テーブル2106は該当画素に係る現フレームの表示データを示すメモリリードデータA2102とは該当画素に係る前フレームの表示データを示すメモリリードデータB2104に基づき変換が行われる。
【００９３】
図２２は実施例７における変換アルゴリズムを示す図であり、実線は前フレーム（Nフレーム）の入力表示データと現フレーム（（N＋１）フレーム）の入力表示データが等しい場合の入力表示データに対する明フィールド表示データと暗フィールド表示データの関係を示す図である。
【００９４】
図２３は図２２に示した変換アルゴリズムにおける、具体的な変換テーブルの値の一部を示す図である。
【００９５】
図２４は特にフレームメモリA2101、フレームメモリB2103に係る表示データの入出力タイミングの関係を示す図である。
【００９６】
図２５は本実施例を適用した場合の輝度応答波形を示す図である。
【００９７】
以上の図面に基づき第７の実施例について説明する。
【００９８】
外部システムから入力された表示データ201は、図２４に示すように、フレームメモリA2102に書き込まれることで、1フレーム期間に2回の読み出し動作がメモリリードデータA2102として行われる。読み出されたメモリリードデータA2102は、明フィールド変換テーブル2102に転送されると共に、フレームメモリB2104に転送される。フレームメモリB2103はフレームメモリA2102と同様に、1フレーム期間で2回の読み出し動作が行われ、メモリリードデータA2102は、明フィールド変換テーブル2102に転送される。この際、メモリリードデータA2102とメモリリードデータB2104は同一の画素領域の情報となるようにする。このように転送されたメモリリードデータA2102及びメモリリードデータB2104に基づき、明フィールド変換テーブル2105、暗フィールド変換テーブル2106は変換を行う。
【００９９】
本実施例において、、メモリリードデータA2102と、メモリリードデータB2104の値に基づき、表示データが前フレームと比較して変化しない静止画像の場合、図２２の実線で示すような変換を行う。ここで明フィールド表示データは高階調領域（図２２では入力表示データが183階調以上の領域）においても255階調とせず、それよりも下の階調（図２２では230階調）に変換し、この値でTmaxとなる階調電圧を液晶表示パネルへの印加電圧とし、暗フィールド表示データは、上記変換の結果得られる明フィールドの動的輝度と暗フィールドの動的輝度の結果得られる表示輝度が目的とするガンマ設定に適合するようにする。
【０１００】
次に前フレームから現フレームへ表示輝度が上昇するよう表示データが変化した場合について説明する。
【０１０１】
本実施例７は2フィールドで表示を行うが、輝度が上昇する場合、比較結果に基づいて、明フィールド表示データが255階調となるまでは、静止画像における明フィールド表示データよりも大となるよう、明フィールド表示データへ変換を行うと共に、その場合の目視輝度が静止画像時の目視輝度と同様になるように暗フィールド表示データへ変換する。又、明フィールド表示データを255階調とした場合に輝度が足りない場合は、暗フィールド表示データは静止画像の場合よりも大となるよう、暗フィールド表示データへ変換する。逆に表示輝度が前フレームと比較して低下する場合、暗フィールド表示データを静止画像の場合よりも小となるよう、暗フィールド表示データへ変換すると共に、暗フィールド表示データを最小値となる0階調としても、目視輝度が静止画像よりも明るい場合は、明フィールド表示データを静止画像の場合よりも小となるよう、明フィールド表示データへ変換する。
【０１０２】
以上のような変換アルゴリズムを適用した場合の具体例を図２３を用いて説明する。例えば前フレームと現フレームの入力表示データ201が共に191階調である場合、明フィールド表示データは図２３Ａに示すようにTmaxとなる230階調とし、暗フィールド表示データは図２３Ｂに示すようにそれに合致した66階調とする。前フレームの入力表示データ201が0階調で現フレームの入力表示データ201が191階調となる、つまり表示輝度が上昇する場合においては、明フィールド表示データは図２３Ａに示すように液晶印加電圧が最大となる255階調とし、この場合に不足する目視輝度を補正すべく、暗フィールド表示データは図２３Ｂに示すように68階調とする。前フレームの入力表示データ201が255階調で現フレームの入力表示データ201が191階調となる、つまり表示輝度が低下する場合においては、明フィールド表示データを図２３Ａに示すように230階調のままとし、暗フィールド表示データを図２３Ｂに示すように53階調とする。
【０１０３】
以上のように前フレームの表示データを用いて補正した場合の効果について、図２５を用いて説明する。図２５はNフレーム目から(N+1)フレーム目に移行する際に表示データの示す階調が低下したとした場合の輝度応答波形であり、実線はNフレームの表示データを参照して補正を行った場合、点線は補正を行わない場合である。図２５のような輝度応答に対して、目視輝度は図中斜線部の面積と近似できる。従って、静止画では(N+2)フレーム目に示した面積Aが目視輝度となるが、補正を行わない場合、Ｎフレーム目の暗フィールドの輝度に影響されて、(N+1)フレーム目の面積はB+Cとなり、これは面積Aと異なることから目視輝度が異なってくる。これに対し、本実施例で示したように前フレームの表示データを参照することで、(N+1)フレーム目の面積をBとすることができ、B＝Aとするべく明フィールド表示データと暗フィールド表示データを変換することで動画ぼやけを更に低減することが可能となる。
【０１０４】
尚、B=Aとなる明フィールド表示データと暗フィールド表示データを変換アルゴリズムは本実施例７の方法が唯一ではなく、例えば明フィールド変換テーブルのみ、或いは暗フィールド変換テーブルのみで変換することも可能となる。又フレームメモリB2103に係る表示データは必ずしも全ビット分の表示データを格納する必要はなく、例えば表示データの下位ビットのみを削減、つまり上位ビットのみを格納することもでき、これによってフレームメモリBの容量を小さくすることが可能となる。更に、本実施例７で静止画時の変換アルゴリズムとして図２２を示したが、この形に限定することはなく、例えば図１５で示したように明フィールド表示データが最大値を得る前に暗フィールド表示データを0階調以外の設定としてもよい。
【実施例８】
【０１０５】
次に、実施例１〜７に示した動画ぼやけを改善する駆動システムのフレームメモリのデータ容量を削減可能な駆動回路について、図２６〜図２９を用いて説明する。本実施例８では、液晶表示パネルの解像度を水平解像度１３６６×ＲＧＢ、垂直解像度７６８ラインのＷＸＧＡとして、説明する。
【０１０６】
図２６は、従来の液晶駆動装置の走査動作を示しており、１フレーム期間に液晶表示パネルのゲート線をG１からG７６８を順次選択する。ゲート線の先頭ラインＧ１を選択し、Ｇ１ラインの表示データに対応した液晶駆動電圧を書き込む、次にＧ２を選択し、以降順次１ラインづつゲート線を選択し、最終ラインのＧ７６８を選択し、Ｇ７６８ラインの表示データに対応した液晶駆動電圧を書き込む。これにより、１フレーム期間に全ラインの選択を行い全画面の表示を行う。次のフレームでも同様に、ゲート線の先頭ラインＧ１を選択し、順次１ラインづつ選択し、最終ラインのＧ７６８を選択し、１フレーム期間に全ラインの選択を行う。
【０１０７】
これに対して、図２７に示す本発明の実施例１〜７に示した駆動方式では、動画ぼやけを改善するため１フレーム期間を明フィールドと暗フィールドの２つのフィールドに分割し、各フィールドで全ラインの選択を行うため、１フレーム期間に各ラインの選択を２回行うことになる。図２７に示した、明フィールド期間では、ゲート線の先頭ラインＧ１を選択し、Ｇ１ラインの明フィールドデータに変換した表示データに基づいた液晶駆動電圧を書き込む、次にＧ２を選択し、以降順次１ラインづつゲート線を選択し、最終ラインのＧ７６８を選択し、Ｇ７６８ラインの表示データに対応した液晶駆動電圧を書き込む。さらに、暗フィールド期間では、ゲート線の先頭ラインＧ１を選択し、Ｇ１ラインの暗フィールドデータに変換した表示データに基づいた液晶駆動電圧を書き込む、次にＧ２を選択し、以降順次１ラインづつゲート線を選択し、最終ラインのＧ７６８を選択し、Ｇ７６８ラインの表示データに対応した液晶駆動電圧を書き込む。このように、表示データを液晶表示パネルに書き込む周波数が、入力される表示データの周波数と異なるため、表示データをフレームメモリに一旦保持し、書き込みを行うタイミングに合わせて表示データを読み出す必要がある。従って、駆動回路システムには、図２、図１６、図２１に示すようにフレームメモリが必要となる。
【０１０８】
次に、図２８を用いて、実施例１〜６の場合のフレームメモリの制御タイミング、最小必要メモリ容量について説明する。図２８に示すように、１フレーム分の入力データD1、D2、D３、D4が順次入力され、そのデータをフレームメモリにライトする。ライトされた表示データは１フレーム期間保持され、次のフレームで２倍の周波数でリードし表示データをそれぞれ明フィールドデータ、暗フィールドデータに変換し、それに基づいた液晶駆動電圧を液晶表示パネルに書き込む。従って、最小必要メモリ容量は画面解像度の１フレーム分の容量となる。
【０１０９】
図２９は、実施例７に示した、1フレーム前の表示データを参照することで、表示データの補正を行い、これによって更なる動画ぼやけを改善する場合のフレームメモリの制御タイミング、最小必要メモリ容量について説明する。図２９に示すように、１フレーム分の入力データD1、D2、D３、D4が順次入力され、そのデータをフレームメモリにライトする。ライトされた表示データは１フレーム期間保持され、次のフレーム期間でフレーム周期（垂直同期信号）に従ってリードし、入力データとメモリからリードした前フレームデータからフレーム間の応答を補正する補正表示データ（D1’、D２’、D３’、D４’）を生成し、フレームメモリに一旦ライトする。そして、半フレーム後に補正表示データ（D1’、D２’、D３’、D４’）を２倍の周波数でリードし、明フィールドデータに変換し、それに基づいた液晶駆動電圧を液晶表示パネルに書き込む。また、次の暗フィールドでは、表示データを半フレーム周期遅れでリードし、暗フィールドデータに変換し、それに基づいた液晶駆動電圧を液晶表示パネルに書き込む。従って、最小必要メモリ容量は画面解像度の１．５フレーム分の容量となる。
【０１１０】
次に、実施例１〜７に示した動画ぼやけを改善する駆動システムのフレームメモリのデータ容量を削減可能な駆動回路について、図３０〜図３６を用いて説明する。
【０１１１】
図３０は、本発明の実施例１〜７の駆動方式をさらにメモリを削減可能とした駆動方式である。動画ぼやけを改善するため１フレーム期間を明フィールド期間と暗フィールド期間の２つのフィールド期間に分割するが、各フィールドを交互に選択し全ラインの選択を行うため、１フレーム期間に各ラインの選択を２回行うことになる。図３０において、明フィールドの走査選択Ａと暗フィールドの走査選択Ｂをライン毎に交互に行う。この駆動動作を図３１を用いて詳細に説明する。
【０１１２】
図３１において、Ｇ１〜Ｇ７６８は垂直解像度７６８ラインの液晶表示パネルのゲート線を示しており、明フィールドの走査選択Ａでゲート線Ｇ１を選択した次に暗フィールドの走査選択Ｂでゲート線Ｇ３８５を選択し、明フィールドの走査選択Ａでゲート線Ｇ２を選択し、暗フィールドの走査選択Ｂでゲート線Ｇ３８５を選択する。つまり、液晶表示パネルの上半分（ゲート線Ｇ１〜ゲート線Ｇ３８４までの第１のライングループ）と下半分（ゲート線Ｇ３８５〜ゲート線Ｇ７６８までの第２のライングループ）を交互に１ライン（１ゲート線）毎に順次選択する。さらに、１フレーム期間の第１期間で液晶表示パネルの上半分に明フィールドデータを表示しかつ液晶表示パネルの下半分に暗フィールドデータを表示し、１フレーム期間の第２期間で液晶表示パネルの上半分に暗フィールドデータを表示しかつ液晶表示パネルの下半分に明フィールドデータを表示する。この動作を順次行うことで１フレーム期間に各ゲート線は、明フィールドの走査選択Ａ、暗フィールドの走査選択Ｂで２回選択されることになる。ここで、ゲート線Ｇ１に着目すると、明フィールドの走査選択Ａで選択された後、暗フィールドの走査選択Ｂで選択されるのはフレーム周期の約１／２の期間後となり、次のフレームの明フィールドの走査選択Ａがさらにフレーム周期の約１／２の期間後となり、これを繰り返す。同様に他のゲート線においても、明フィールドの走査選択Ａで選択された後、暗フィールドの走査選択Ｂで選択されるのはフレーム周期の約１／２の期間後となり、次のフレームの明フィールドの走査選択Ａがさらにフレーム周期の約１／２の期間後となり、これを繰り返す。従って、図２７に示した２倍速駆動と同様に、１フレーム期間に明フィールド期間と暗フィールド期間を実現することができる。
【０１１３】
図３１に示すように、１フレーム期間の先頭で、明フィールドの走査選択Ａでは、ゲート線の先頭ラインＧ１を選択し、Ｇ１ラインの明フィールドデータに変換した表示データに基づいた液晶駆動電圧を書き込む、次に暗フィールドの走査選択Ｂでゲート線のＧ３８５を選択し、Ｇ３８５ラインの暗フィールドデータに変換した表示データに基づいた液晶駆動電圧を書き込む。次に、明フィールドの走査選択ＡでＧ２を選択し、以降順次１ラインづつ明フィールドの走査選択Ａと暗フィールドの走査選択Ｂによるゲート線選択を繰り返す。このように、表示データを液晶表示パネルに書き込む周波数が、入力される表示データの周波数と位相が異なるため、表示データをフレームメモリに一旦保持し、書き込みを行うタイミングに合わせて表示データを読み出す必要がある。従って、駆動回路システムには、図２、図１６、図２１に示すようにフレームメモリが必要となる。
【０１１４】
次に、図３２を用いて、実施例１〜６の場合のフレームメモリの制御タイミング、最小必要メモリ容量について説明する。図３２に示すように、１フレーム分の入力データD1、D2、D３、D4が順次入力され、そのデータをフレームメモリにライトする。ライトされた表示データは１／２フレーム期間保持され、１／２フレーム期間後にフレーム周波数に従ってリードし、表示データをそれぞれ明フィールドデータ、暗フィールドデータに変換し、それに基づいた液晶駆動電圧を液晶表示パネルに書き込む。従って、最小必要メモリ容量は画面解像度の０．５フレーム分、つまり半分の容量となる。
【０１１５】
図３３は、実施例７に示した、1フレーム前の表示データを参照することで、表示データの補正を行い、これによって更なる動画ぼやけを改善する場合のフレームメモリの制御タイミング、最小必要メモリ容量について説明する。図３３に示すように、１フレーム分の入力データD1、D2、D３、D4が順次入力され、そのデータをフレームメモリにライトする。ライトされた表示データは１フレーム保持され、次のフレームでフレーム周期に従ってリードし、入力データとメモリからリードした前フレームデータからフレーム間の応答を補正する補正表示データ（D1’、D２’、D３’、D４’）を生成し、明フィールドデータに変換し、それに基づいた液晶駆動電圧（液晶駆動データＡ）を液晶表示パネルに書き込む。また、半フレーム周期後の暗フィールドでは、メモリの表示データを半フレーム周期遅れでリードし、暗フィールドデータに変換し、それに基づいた液晶駆動電圧（液晶駆動データＢ）を液晶表示パネルに書き込む。従って、最小必要メモリ容量は画面解像度の１．０フレーム分の容量となる。
【０１１６】
以上のように、実施例８で示した明フィールド走査選択と暗フィールド走査選択をライン毎に交互に行うことで、フレームメモリ容量を削減可能とし、低コストな駆動回路システムを構成することができる。
【０１１７】
次に、本実施例の回路動作を図３４〜３６を用いて詳細に説明する。
【０１１８】
図３４は液晶表示パネルの駆動回路の詳細構成図で、図２、図１６、図２１で示した構成と同様である。図３４において、２２２は、表示データに基づいた液晶駆動電圧を液晶表示パネルに印加するデータドライバ、２２４はゲート線を選択走査する走査ドライバ、２２６はガラス基板上にデータ線Ｄ１〜Ｄｎ及びゲート線Ｇ１〜Ｇｎがマトリックス状に配置された液晶表示パネル、２２７はデータ線Ｄ１〜Ｄｎ及びゲート線Ｇ１〜Ｇｎに接続されＴＦＴスイッチで構成された画素である。２０９は走査ドライバ２２４の制御信号である。
【０１１９】
図３５は走査ドライバ２２４をさらに詳細に示した構成図である。２２４−１から２２４−３は、１ＬＳＩの走査ドライバの２５６個の出力に対応している。３個の走査ドライバの構成とすることで垂直解像度７６８ラインに対応できる。本実施例では、液晶表示パネルの垂直解像度を７６８ラインとして説明することとする。走査ドライバの制御信号２０９は、フレームの先頭を示すフレーム同期信号ＦＬＭ、走査ドライバが選択動作する走査タイミング信号ＣＬ３、走査ドライバの出力を非選択状態にする非選択信号ＤＯＦＦ−１〜ＤＯＦＦ−３で構成されている。フレーム同期信号ＦＬＭのハイレベルを走査タイミング信号ＣＬ３の立上りで取り込み、走査タイミング信号ＣＬ３の立上りで順次選択動作を順次シフトする。ＤＯＦＦ−１からＤＯＦＦ−３は、３個の走査ドライバで個別制御し、走査ドライバの出力を、ハイレベルで非選択（ロウレベル）、ロウレベルで選択（ハイレベル）とする。
【０１２０】
図３６は走査選択動作のタイミング図を示しており、次に走査選択動作について説明する。フレーム同期信号ＦＬＭのハイレベルを走査タイミング信号ＣＬ３の１の立ち上がりで取り込み、走査ドライバ２２４−１でゲート線Ｇ１を選択する。非選択信号ＤＯＦＦ−１は、ＣＬ３の周期の前半１／２でロウレベル、後半１／２でハイレベルとし、ゲート線Ｇ１はＣＬ３周期の前半１／２期間選択される。このとき、走査ドライバ２２４−２では、非選択信号ＤＯＦＦ−２信号は、ＣＬ３の周期の前半１／２でハイレベル、後半１／２でロウレベルなので、ＣＬ３の周期の後半１／２期間にゲート線Ｇ３８５が選択される。次の走査タイミング信号ＣＬ３の２の立上りでゲート線Ｇ２がＣＬ３の周期の前半１／２周期に選択され、ゲート線Ｇ３８６がＣＬ３の周期の後半１／２周期に選択される。以降同様に走査選択動作をゲート線Ｇ３、Ｇ３８７、Ｇ４、Ｇ３８８の順番に繰り返して行く。この時、図３０に示した明フィールド選択走査Ａがゲート線Ｇ１、Ｇ２、Ｇ３、Ｇ４の走査選択に対応しており、暗フィールド選択走査Ｂがゲート線Ｇ３８５、Ｇ３８６、Ｇ３８７、Ｇ３８８の走査選択に対応している。
【０１２１】
さらに、フレーム期間の約１／２期間のタイミングである、走査タイミング信号ＣＬ３の３８５の立上りタイミングでＦＬＭのハイレベルを取り込みゲート線Ｇ１を選択する。非選択信号ＤＯＦＦ−１は、ＣＬ３の周期の前半１／２でハイレベル、後半１／２でロウレベルとし、ゲート線Ｇ１はＣＬ３周期の後半１／２期間選択される。このとき、走査ドライバ２２４−２では、非選択信号ＤＯＦＦ−２信号は、ＣＬ３の周期の前半１／２でロウレベル、後半１／２でハイレベルなので、ＣＬ３の周期の前半１／２期間にゲート線Ｇ３８５が選択される。次の走査タイミング信号ＣＬ３の３８６の立上りでゲート線Ｇ３８６がＣＬ３の周期の前半１／２周期に選択され、ゲート線Ｇ２がＣＬ３の周期の後半１／２周期に選択される。以降同様に走査選択動作をゲート線Ｇ３８７、Ｇ３、Ｇ３８８、Ｇ４の順番に繰り返して行く。この時、図３０に示した明フィールド選択走査Ａがゲート線Ｇ３８５、Ｇ３８６、Ｇ３８７、Ｇ３８８の走査選択に対応しており、暗フィールド選択走査Ｂがゲート線Ｇ１、Ｇ２、Ｇ３、Ｇ４の走査選択に対応している。
【０１２２】
このように、走査ドライバの走査タイミング信号ＣＬ３に同期して、フレーム同期信号ＦＬＭ、非選択信号ＤＯＦＦ−１、ＤＯＦＦ−２、ＤＯＦＦ−３を制御することで図３０、図３１、図３６に示した明フィールド選択走査Ａ、暗フィールド選択走査Ｂをライン毎に交互に行うことが可能となる。
【０１２３】
尚、液晶表示パネルの上半分と下半分を交互に複数ライン（例えば、２ライン、３ライン、４ライン）毎に順次選択、つまり、上半分の複数ラインをまとめて選択した後に下半分の複数ラインをまとめて選択してもよい。液晶表示パネルの選択領域は、上下（データ線に沿った方向）２分割にだけでなく、上下３分割、上下4分割であってもよい。
【０１２４】
また、液晶表示パネルの全ライン（全ゲート線）をＬ（Ｌは２以上で液晶表示パネルの全ライン数よりも小さい整数）個に分割した場合は、１フレーム期間もＬ個の期間に分割するのが好ましく、１つの表示データをＬ個のフィールドデータに変換するのが好ましい。Ｌ個のフィールドデータの少なくとも１つは、暗フィールドデータである。また、当該分割は、等分割であってもよいし、等分割でなくてもよい。
【実施例９】
【０１２５】
次に、実施例８で示した明フィールドと暗フィールドの走査選択を交互に行う際に、４ライン毎に明フィールドと暗フィールドの走査選択を交互に行うことで、液晶駆動電圧の液晶表示パネルへの書き込み特性を改善し、高画質化を実現する駆動方式について、図３７〜図４０を用いて説明する。図３７において、フレームの先頭から、明フィールドの走査選択Ａでは隣接するゲート線G１からG２、G３、G４を順次４ラインを連続して選択し、次に暗フィールドの走査選択Ｂでは液晶表示パネルの中央部付近のゲート線３８５からG３８６、G３８７、G３８８を順次４ラインを連続して選択する。さらに、明フィールドの走査選択Ａではゲート線Ｇ５からＧ６、Ｇ７、Ｇ８を順次４ラインを連続して選択し、暗フィールドの走査選択Ｂではゲート線Ｇ３８９からＧ３９０、Ｇ３９１、Ｇ３９２を順次４ラインを連続して選択する。このように、隣接した４ライン毎に順次選択し、図３０に示した明フィールドＡの走査選択、暗フィールドＢの走査選択を行う。
【０１２６】
次に図３４、図３８を用いて走査ドライバの構成について説明する。本実施例では、実施例８と同様に、図３４の回路構成で液晶表示パネルを駆動する。本実施例では、実施例８に比べ走査ドライバ２２４の構成が異なるため、図３８を用いて走査ドライバの構成について説明する。図３５は走査ドライバ２２４をさらに詳細に示した構成図で、２２４−１から２２４−３は、走査ドライバは１ＬＳＩで２５６出力に対応しており、３個の構成とすることで垂直解像度７６８ラインに対応できる。本実施例では、液晶表示パネルの垂直解像度を７６８ラインとして説明することとする。走査ドライバの制御信号２０９は、フレームの先頭を示すフレーム同期信号ＦＬＭ、走査ドライバが選択動作する走査タイミング信号ＣＬ３−１〜ＣＬ３−３、走査ドライバの出力を非選択状態にする非選択信号ＤＯＦＦ−１〜ＤＯＦＦ−３で構成されている。ＣＬ３−１からＣＬ３−３は３個の走査ドライバ２２４−１〜２２４−３を個別に制御するため、３系統とする。フレーム同期信号ＦＬＭのハイレベルを走査タイミング信号ＣＬ３−１の立上りで取り込み、走査タイミング信号ＣＬ３−１〜ＣＬ３−３の立上りで順次選択動作を順次シフトする。ＤＯＦＦ−１からＤＯＦＦ−３は、３個の走査ドライバで個別制御し、走査ドライバの出力を、ハイレベルで非選択（ロウレベル）、ロウレベルで選択（ハイレベル）とする。
【０１２７】
図３９は走査選択動作のタイミング図を示しており、次に走査選択動作について説明する。フレーム同期信号ＦＬＭのハイレベルを走査タイミング信号ＣＬ３−１の１の立ち上がりで取り込み、走査タイミング信号ＣＬ３−１の２の立ち上がりでシフト動作を行い、走査ドライバ２２４−１でゲート線Ｇ２を選択する。さらに、走査タイミング信号ＣＬ３−１の３の立ち上がりでシフト動作を行い、走査ドライバ２２４−１でゲート線Ｇ３を選択し、走査タイミング信号ＣＬ３−１の４の立ち上がりでシフト動作を行い、走査ドライバ２２４−１でゲート線Ｇ４を選択する。この時、非選択信号ＤＯＦＦ−１は、ＣＬ３の４周期期間ロウレベルであり、走査ドライバ２２４−１の出力が有効となる。このように、隣接する４ラインのゲート線を連続して順次選択する。次に走査タイミング信号ＣＬ３−２の立上りで、走査ドライバ２２４−２でゲート線Ｇ３８５を選択し、走査タイミング信号ＣＬ３−２の次の立ち上がりでシフト動作を行い、走査ドライバ２２４−２でゲート線Ｇ３８６を選択し、同様に走査ドライバ２２４−２でゲート線Ｇ３８７を選択し、同様に走査ドライバ２２４−２でゲート線Ｇ３８８を連続して順次選択する。この時、非選択信号ＤＯＦＦ−２は、ＣＬ３の４周期期間ロウレベルであり、走査ドライバ２２４−２の出力が有効となる。以降同様に走査選択動作をゲート線Ｇ５、Ｇ６、Ｇ７、Ｇ８、Ｇ３８９、Ｇ３９０、Ｇ３９１、Ｇ３９２の順番に繰り返して行く。この時、図３０に示した明フィールド選択走査Ａがゲート線Ｇ１、Ｇ２、Ｇ３、Ｇ４の走査選択に対応しており、暗フィールド選択走査Ｂがゲート線Ｇ３８５、Ｇ３８６、Ｇ３８７、Ｇ３８８の走査選択に対応している。
【０１２８】
さらに、フレーム期間の約１／２期間のタイミングである、走査タイミング信号ＣＬ３の３８５の立上りタイミングでＦＬＭのハイレベルを取り込みを走査タイミング信号ＣＬ３−１の１の立ち上がりで取り込み、走査タイミング信号ＣＬ３−１の３８６の立ち上がりでシフト動作を行い、走査ドライバ２２４−１でゲート線Ｇ２を選択する。さらに、走査タイミング信号ＣＬ３−１の３８７の立ち上がりでシフト動作を行い、走査ドライバ２２４−１でゲート線Ｇ３を選択し、走査タイミング信号ＣＬ３−１の４の立ち上がりでシフト動作を行い、走査ドライバ２２４−１でゲート線Ｇ４を選択する。この時、非選択信号ＤＯＦＦ−１は、ＣＬ３の４周期期間ロウレベルであり、走査ドライバ２２４−１の出力が有効となる。このように、隣接する４ラインのゲート線を連続して順次選択する。次に走査タイミング信号ＣＬ３−２の立上りで、走査ドライバ２２４−２でゲート線Ｇ３８５を選択し、走査タイミング信号ＣＬ３−２の次の立ち上がりでシフト動作を行い、走査ドライバ２２４−２でゲート線Ｇ３８６を選択し、同様に走査ドライバ２２４−２でゲート線Ｇ３８７を選択し、同様に走査ドライバ２２４−２でゲート線Ｇ３８８を連続して順次選択する。この時、非選択信号ＤＯＦＦ−２は、ＣＬ３の４周期期間ロウレベルであり、走査ドライバ２２４−２の出力が有効となる。以降同様に走査選択動作をゲート線Ｇ５、Ｇ６、Ｇ７、Ｇ８、Ｇ３８９、Ｇ３９０、Ｇ３９１、Ｇ３９２の順番に繰り返して行く。この時、図３０に示した明フィールド選択走査Ａがゲート線Ｇ１、Ｇ２、Ｇ３、Ｇ４の走査選択に対応しており、暗フィールド選択走査Ｂがゲート線Ｇ３８５、Ｇ３８６、Ｇ３８７、Ｇ３８８の走査選択に対応している。
【０１２９】
このように、走査ドライバの走査タイミング信号ＣＬ３−１からＣＬ３−３に同期して、フレーム同期信号ＦＬＭ、非選択信号ＤＯＦＦ−１、ＤＯＦＦ−２、ＤＯＦＦ−３を制御することで図３０、図３７、図３９に示した明フィールド選択走査Ａ、暗フィールド選択走査Ｂを４ライン毎に交互に行うことが可能となる。
【０１３０】
本実施例では、実施例８では１ライン毎の走査選択だったのに対し、４ライン毎に走査選択することで、液晶駆動電圧の書き込み特性を改善する。図４０は図３９に示したゲート線G１〜G４、G３８５〜G３８８の走査選択の詳細を示したもので、ゲート線G１〜G４及びG３８５〜G３８８の４ラインの選択期間を第１選択期間から第４選択期間とし、第１選択期間を他の選択期間に比べて長くしている。例えば、ゲート線G３８５を選択する場合、液晶表示パネルのデータ線に前のラインであるゲート線G１の液晶駆動電圧の影響のためゲート線G３８５の液晶駆動電圧の書きみ電圧がずれる場合がある。この場合、ゲート線G１の表示がゲート線G３８５の付近に薄く見えるゴースト表示として現れる、つまり画質劣化が生じることとなる。従って、その影響を受ける第１選択期間は、他の第２から第４の選択期間に比べて長くすることで、前ラインの液晶駆動電圧の影響を低減し、高画質化を実現できる。通常の順次走査選択の場合と同様に、第２〜第４選択期間では、前ラインは隣接ラインであるため、前ラインの液晶駆動電圧の影響を受けても画質に影響は少ない。このように、実施例９では、明フィールドと暗フィールドの走査選択を交互に行う際に、４ライン毎に明フィールドと暗フィールドの走査選択を交互に行うことで、液晶駆動電圧の液晶表示パネルへの書き込み特性を改善し、高画質化を実現する。
【０１３１】
尚、本実施例では、４ライン毎の走査選択動作を示したが、これは４ラインに限定したものではなく、複数ライン毎、例えば２ライン毎や３ライン毎等でも同様な効果を得ることができる。
【実施例１０】
【０１３２】
次にフレーム期間中の明フィールド期間と暗フィールド期間の割合を変えることで、動画ぼやけ性能を向上する実施例１０について説明する。
【０１３３】
図４１は、実施例１から実施例７で示した２倍速スキャンによる明フィールド期間と暗フィールド期間の割合を約５０％と５０％から明フィールド期間約３３％（約１／３）、暗フィールド期間約６７％（約２／３）とした場合の走査選択を示した図である。このように暗フィールド期間を長くすることで、インパルス型応答の効果を高め動画ボヤケをより改善できる。
【０１３４】
図４２は、実施例８、実施例９で示した明フィールド走査選択と暗フィールド走査選択を交互に行う走査選択による明フィールド期間と暗フィールド期間の割合を約５０％と５０％から明フィールド期間約３３％、暗フィールド期間約６７％とした場合の走査選択を示した図である。その結果、１フレーム期間に対する明フィールド期間の割合が小さくなるに従って（暗フィールド期間の割合が大きくなるに従って）、明フィールド期間で明フィールドデータに応じた電圧を書き込むラインの数が多くなる（明フィールド期間で暗フィールドデータに応じた電圧を書き込むラインの数が少なくなる）。そして、明フィールド期間と暗フィールド期間の比率は、明フィールド期間で暗フィールドデータに応じた電圧を書き込むラインの数と明フィールドデータに応じた電圧を書き込むラインの数の比率に等しく、同様に、暗フィールド期間で明フィールドデータに応じた電圧を書き込むラインの数と暗フィールドデータに応じた電圧を書き込むラインの数の比率に等しい。このように暗フィールド期間を長くすることで、インパルス型応答の効果を高め動画ボヤケをより改善できる。暗フィールド期間は、１／２フレーム期間より長く１フレーム期間よりも短い。よって、明フィールド期間は、０より長く１／２フレーム期間より短い。
【０１３５】
図４１の場合、明フィールド、暗フィールドそれぞれで全ラインを走査選択するのフレーム期間の約３３％の期間であるため、１ライン当りの選択期間は、フレーム期間を６０Ｈｚつまり約１６．７ｍｓとすると、１６．７ｍｓ×０．３３÷７６８ライン＝約７．２μｓとなる。これに対して、図４２の場合、明フィールド、暗フィールドは交互に選択するため、それぞれで全ラインを走査選択する期間は、１フレーム期間の約半分の期間となる。このため、１ライン当りの選択期間は、フレーム期間を６０Ｈｚつまり約１６．７ｍｓとすると、１６．７ｍｓ×０．５０÷７６８ライン＝約１０．９μｓとなる。つまり、図４１に示した２倍速スキャンでは、明フィールド期間を短くすると、それに伴い１ラインの走査選択時間も短くなる。一方、図４２に示す明フィールドと暗フィールドの交互のスキャンでは、明フィールド期間を短くしても、１ラインの走査選択時間は変化しない。従って、実施例８、９で示した明フィールドと暗フィールドの交互のスキャンの場合、インパルス型応答の効果を高めるため明フィールドの期間を短くしても、液晶駆動電圧の書き込み特性に影響する１ラインの選択時間を長くすることができ、表示むら等の影響の少ない高画質化を実現可能である。尚、以上の１ラインの選択時間の計算では、説明簡素化のため帰線期間の影響を省いている。
【０１３６】
また、実施例８、９、１０においては液晶表示パネルの垂直解像度を７６８ラインで説明したが、垂直解像度はこれに限定したものでなく、ハイビジョン規格の１９２０ドット×１０８０ライン等各種解像度においても同様の効果が得られる。
【産業上の利用可能性】
【０１３７】
本発明によれば、液晶表示装置、有機EL(Electro Luminescence)ディスプレイやLCOS(Liquid Crystal On Silicon)ディスプレイのようなホールド型表示装置において、特に低階調での動画ぼやけを低減せしめることが可能となる。従って、本発明は、液晶表示パネルを用いたTV受像機や、PC等の表示モニタ、更に携帯電話やゲーム機等に対しても適用することが可能である。
【図面の簡単な説明】
【０１３８】
【図１】明フィールド、暗フィールド及び表示輝度のイメージを示す図である。
【図２】実施例１〜３における液晶表示装置の構成を示す図である。
【図３】変換テーブルの構成を示す図である。
【図４】変換テーブルの一例を示す図である。
【図５】入出力タイミング仕様を示す図である。
【図６】2フィールド交流方式における液晶駆動波形を示す図である。
【図７】2フィールド交流方式と3フィールド交流方式を組み合わせた図である。
【図８】2フィールド交流方式と1フィールド交流方式を組み合わせた図である。
【図９】液晶表示パネルの液晶印加電圧Vと静的輝度Tの関係を示す図である。
【図１０】液晶駆動データDと液晶印加電圧Vの関係を示す図である。
【図１１】第１の実施例におけるデータ変換特性を示す図である。
【図１２】液晶表示パネルの輝度応答波形を示す図である。
【図１３】MPRT測定結果を示す表である。
【図１４】実施例２におけるデータ変換特性を示す図である。
【図１５】実施例３におけるデータ変換特性を示す図である。
【図１６】実施例４〜６における液晶表示装置の構成を示す図である。
【図１７】実施例４におけるデータ変換特性を示す図である。
【図１８】実施例４の高階調側中間調表示における輝度応答波形を示す図である。
【図１９】実施例５におけるデータ変換特性を示す図である。
【図２０】実施例６におけるデータ変換特性を示す図である。
【図２１】実施例７における液晶表示装置の構成を示す図である。
【図２２】実施例７におけるデータ変換特性を示す図である。
【図２３】実施例７における明フィールド変換テーブル、暗フィールド変換テーブルの変換特性の具体例である。
【図２４】実施例７におけるタイミング仕様を示す図である。
【図２５】実施例７における輝度応答波形を示す図である。
【図２６】従来技術の走査選択を示す図。
【図２７】実施例１から７の走査選択を示す図。
【図２８】実施例１から６のメモリ制御タイミングを示す図。
【図２９】実施例７のメモリ制御タイミングを示す図。
【図３０】実施例８の走査選択を示す図。
【図３１】実施例８の走査選択タイミングを示す図。
【図３２】実施例８のメモリ制御タイミングを示す図。
【図３３】実施例８のメモリ制御タイミングを示す図。
【図３４】実施例８の駆動回路構成を示す図。
【図３５】実施例８の走査ドライバ回路構成を示す図。
【図３６】実施例８の走査ドライバ制御タイミングを示す図。
【図３７】実施例９の走査選択タイミングを示す図。
【図３８】実施例９の走査ドライバ回路構成を示す図。
【図３９】実施例９の走査ドライバ制御タイミングを示す図。
【図４０】実施例１０の水平タイミングを示す図。
【図４１】実施例１０の走査選択を示す図。
【図４２】実施例１０の走査選択を示す図。
【符号の説明】
【０１３９】
201…入力表示データ、202…制御信号群、203…駆動選択信号、204…タイミング信号生成回路、205…メモリ制御信号群、206…テーブルイニシャライズ信号、207…データ選択信号、208…データドライバ制御信号群、209…走査ドライバ制御信号群、210…フレームメモリ、211…メモリリードデータ、212…ROM、213…テーブルデータ、214…明フィールド変換テーブル、215…暗フィールド変換テーブル、216…明フィールド表示データ、217…暗フィールド表示データ、218…表示データ選択回路、219…フィールド表示データ、220…階調電圧生成回路、221…階調電圧、222…データドライバ、223…データ電圧、224…走査ドライバ、225…走査ライン選択信号、226…液晶表示パネル、227…液晶表示パネルの1画素の模式図、301-R…R用明フィールド変換テーブル、301-G…G用明フィールド変換テーブル、301-B…B用明フィールド変換テーブル、302-R…R用暗フィールド変換テーブル、302-G…G用暗フィールド変換テーブル、302-B…B用暗フィールド変換テーブル、
1601…階調電圧制御信号、2101…フレームメモリA、2102…メモリリードデータA、2103…フレームメモリB、2104…メモリリードデータB、2105…明フィールド変換テーブル、2106…暗フィールド変換テーブル
【図１】
2006343706.tif 000004
【図２】
2006343706.tif 000005
【図３】
2006343706.tif 000006
【図４】
2006343706.tif 000007
【図５】
2006343706.tif 000008
【図６】
2006343706.tif 000009
【図７】
2006343706.tif 000010
【図８】
2006343706.tif 000011
【図９】
2006343706.tif 000012
【図１０】
2006343706.tif 000013
【図１１】
2006343706.tif 000014
【図１２】
2006343706.tif 000015
【図１３】
2006343706.tif 000016
【図１４】
2006343706.tif 000017
【図１５】
2006343706.tif 000018
【図１６】
2006343706.tif 000019
【図１７】
2006343706.tif 000020
【図１８】
2006343706.tif 000021
【図１９】
2006343706.tif 000022
【図２０】
2006343706.tif 000023
【図２１】
2006343706.tif 000024
【図２２】
2006343706.tif 000025
【図２３】
2006343706.tif 000026
【図２４】
2006343706.tif 000027
【図２５】
2006343706.tif 000028
【図２６】
2006343706.tif 000029
【図２７】
2006343706.tif 000030
【図２８】
2006343706.tif 000031
【図２９】
2006343706.tif 000032
【図３０】
2006343706.tif 000033
【図３１】
2006343706.tif 000034
【図３２】
2006343706.tif 000035
【図３３】
2006343706.tif 000036
【図３４】
2006343706.tif 000037
【図３５】
2006343706.tif 000038
【図３６】
2006343706.tif 000039
【図３７】
2006343706.tif 000040
【図３８】
2006343706.tif 000041
【図３９】
2006343706.tif 000042
【図４０】
2006343706.tif 000043
【図４１】
2006343706.tif 000044
【図４２】
2006343706.tif 000045